(57)【要約】  ピアツーピア通信におけるトラフィックの通信に関する方法および装置が説明される。ピアツーピア通信システムはトラフィックスロットを含み、コネクションを有するデバイスのペアのための第１の送信要求リソースと第２の送信要求リソースとがトラフィックスロットのトラフィック送信間隔に関連し、第１の要求リソースは第２の要求リソースに先行する。ペアのうちの第１のデバイスは、第１の要求リソースを使用して、ペアのうちの第２のデバイスにスロットの送信トラフィック間隔中でトラフィックを送信するという意図をシグナリングする。第２のデバイスは、第２の要求リソースを使用して、第１のデバイスにスロットの送信トラフィック間隔中でトラフィックを送信するという意図をシグナリングする。実装されたプロトコルは、第２のリソースにおける要求が第１のリソースにおける要求をオーバーライドできるかどうかを決定する。【選択図】  図１５
2011502427.tif 000002
【特許請求の範囲】
【請求項１】
複数の送信ユニットを有するシステムにおいて第２の通信デバイスと通信するように第１の通信デバイスを動作させる方法であって、各送信ユニットは少なくとも１つのシンボルを伝達し、前記送信ユニットの第１のペアが通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記方法は、
前記第２のデバイスへの送信の要求を示す信号を前記第１の送信ユニットで送信することと、
前記第２のデバイスからの信号を検出するために前記第２の送信ユニットを監視することと、
前記第２のデバイスからの信号が前記第２の送信ユニットで検出されなかったとき、前記第２の送信ユニットの後に発生するデータ送信間隔中に前記第２のデバイスにデータを送信することと、
を備える。
【請求項２】
前記第２のデバイスからの信号が前記第２の送信ユニットで検出されたとき、前記第２の送信ユニットの後に発生する前記データ送信間隔中に前記第２のデバイスからデータを受信すること、
をさらに備える、請求項１記載の方法。
【請求項３】
前記第１の送信ユニットと前記第２の送信ユニットとの間に時間ギャップがあり、
前記方法は、
前記時間ギャップ中に送信動作モードと受信動作モードとの間で切り替わること、
をさらに備える、請求項２記載の方法。
【請求項４】
受信動作モードで動作しているときに送信機能が使用不能にされる、請求項３記載の方法。
【請求項５】
前記時間ギャップが少なくとも１マイクロ秒である、請求項３記載の方法。
【請求項６】
前記時間ギャップが少なくとも１シンボル長である、請求項３記載の方法。
【請求項７】
前記第１の送信ユニットと前記第２の送信ユニットとの間の前記時間ギャップが固定であり、かつ予め決定される、請求項３記載の方法。
【請求項８】
前記第１の送信ユニットと前記第２の送信ユニットとは第１のトラフィック間隔に対応し、
前記複数の送信ユニットは第２のトラフィック間隔に対応する第３の送信ユニットと第４の送信ユニットとをさらに含み、前記第３の送信ユニットは前記第２のデバイスに対応し、前記第４の送信ユニットは前記第１のデバイスに対応し、前記第３の送信ユニットと前記第４の送信ユニットとは時間的に重複せず、前記第３の送信ユニットは前記第４の送信ユニットに先行し、
前記方法は、
前記第２のデバイスへの送信の要求を示す第２の信号を前記第４の送信ユニットで送信すること、
をさらに備える、請求項１記載の方法。
【請求項９】
前記第１の送信ユニットと前記第２の送信ユニットとは第１のトラフィック間隔に対応し、
前記複数の送信ユニットは第２のトラフィック間隔に対応する第３の送信ユニットと第４の送信ユニットとをさらに含み、前記第３の送信ユニットは前記第２のデバイスに対応し、前記第４の送信ユニットは前記第１のデバイスに対応し、前記第３の送信ユニットと前記第４の送信ユニットとは時間的に重複せず、前記第３の送信ユニットは前記第４の送信ユニットに先行し、
前記方法は、
前記第２のデバイスからの信号を検出するために前記第３の送信ユニットを監視することと、
前記第２のデバイスからの信号が前記第３の送信ユニットで検出されなかったとき、
（ｉ）前記第２のデバイスへの送信の要求を示す第２の信号を前記第４の送信ユニットで送信することと、
（ｉｉ）前記第３の送信ユニットの後に発生する前記第２のデータ送信間隔中に前記第２のデバイスにデータを送信することと、
をさらに備える、請求項１記載の方法。
【請求項１０】
前記第２のデバイスからの信号が前記第３の送信ユニットで検出されたとき、
（ｉ）前記第４の送信ユニットで送信することと、
（ｉｉ）前記第２のデータ送信時間間隔中に前記第２の通信デバイスにデータを送信することと、
をさらに備える、請求項９記載の方法。
【請求項１１】
前記第２のデバイスからの信号が前記第３の送信ユニットで検出されたとき、
（ｉ）前記第４の送信ユニットでの送信を控えることと、
（ｉｉ）前記第２のデータ送信時間間隔中に前記第２の通信デバイスからデータを受信することと、
をさらに備える、請求項９記載の方法。
【請求項１２】
前記第２のデバイスへの送信の要求を示す信号を前記第１の送信ユニットで送信することの後、データ送信間隔中に前記第２のデバイスにデータを送信することの前に、
前記第２のデバイスからの送信許容信号を監視することと、
前記第２のデバイスからの送信許容信号を検出することと、
をさらに備える、請求項１記載の方法。
【請求項１３】
第２の通信デバイスを含むシステムにおいて使用するための第１の通信デバイスであって、
前記システムは複数の送信ユニットを有し、各送信ユニットは少なくとも１つのシンボルを伝達し、前記送信ユニットの第１のペアはコネクションを有する通信デバイスの第１のペアに対応し、通信デバイスの前記第１のペアは前記第１の通信デバイスと前記第２の通信デバイスとを含み、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記第１の通信デバイスは、
前記第２のデバイスへの送信の要求を示す信号を前記第１の送信ユニットで送信するワイヤレス送信機モジュールと、
前記第２のデバイスからの信号を検出するために前記第２の送信ユニットを監視する監視モジュールと、
前記第１のデバイスが前記第１の送信ユニットで要求を示す前記信号を送信し、前記第２のデバイスからの信号が前記第２の送信ユニットで検出されなかったとき、前記第２の送信ユニットの後に発生するデータ送信間隔中に前記第２のデバイスにデータを送信するように前記ワイヤレス送信機モジュールを制御するデータ送信制御モジュールと、
を備える、第１の通信デバイス。
【請求項１４】
前記第２のデバイスからの信号が前記第２の送信ユニットで検出されたとき、前記第２の送信ユニットの後に発生する前記データ送信間隔中に前記第２のデバイスからデータを受信するワイヤレス受信機モジュール、
をさらに備える、請求項１３記載の第１の通信デバイス。
【請求項１５】
前記第１の送信ユニットと前記第２の送信ユニットとの間に時間ギャップがあり、
前記第１の通信デバイスは、
前記時間ギャップ中に送信動作モードと受信動作モードとの間で切り替えるモード制御モジュール、
をさらに備える、請求項１４記載の第１の通信デバイス。
【請求項１６】
受信動作モードで動作しているときに使用不能にされるように送信機能を制御する受信モード制御モジュール、
をさらに備える、請求項１５記載の第１の通信デバイス。
【請求項１７】
前記時間ギャップは少なくとも１マイクロ秒である、請求項１５記載の第１の通信デバイス。
【請求項１８】
前記時間ギャップは少なくとも１シンボル長である、請求項１５記載の第１の通信デバイス。
【請求項１９】
前記第１の送信ユニットと前記第２の送信ユニットとの間の前記時間ギャップは固定かつ予め決定され、請求項１記載の前記第１の通信デバイスは、
記憶されたタイミング構造情報を含むメモリをさらに備え、前記記憶されたタイミング構造情報は、前記タイミング構造における前記データ送信間隔の時間位置と、前記第１の送信ユニットの時間位置と、前記第２の送信ユニットの時間位置とを識別するために使用される情報を含む、
請求項１５記載の第１の通信デバイス。
【請求項２０】
前記第１の送信ユニットと前記第２の送信ユニットとは第１のトラフィック間隔に対応し、前記複数の送信ユニットは第２のトラフィック間隔に対応する第３の送信ユニットと第４の送信ユニットとをさらに含み、前記第３の送信ユニットは前記第２のデバイスに対応し、前記第４の送信ユニットは前記第１のデバイスに対応し、前記第３の送信ユニットと前記第４の送信ユニットとは時間的に重複せず、前記第３の送信ユニットは前記第４の送信ユニットに先行し、
前記記憶されたタイミング構造情報は、前記タイミング構造における前記第２のトラフィック間隔の時間位置と、前記第３の送信ユニットの時間位置と、前記第４の位置ユニットの時間位置とを識別するために使用される情報を含み、
前記ワイヤレス送信機モジュールは、さらに、前記第２のデバイスへの送信の要求を示す第２の信号を前記第４の送信ユニットで送信する、
請求項１３記載の第１の通信デバイス。
【請求項２１】
前記第１の送信ユニットと前記第２の送信ユニットとは第１のトラフィック間隔に対応し、前記複数の送信ユニットは第２のトラフィック間隔に対応する第３の送信ユニットと第４の送信ユニットとをさらに含み、前記第３の送信ユニットは前記第２のデバイスに対応し、前記第４の送信ユニットは前記第１のデバイスに対応し、前記第３の送信ユニットと前記第４の送信ユニットとは時間的に重複せず、前記第３の送信ユニットは前記第４の送信ユニットに先行し、
前記監視モジュールは、前記第２のデバイスからの信号を検出するために前記第３の送信ユニットを監視し、
前記第１の通信デバイスは、
前記第１の通信デバイスが前記第２の通信デバイスに送信すべきデータを有するとき、および前記第２のデバイスからの信号が前記監視モジュールによって前記第３の送信ユニットで検出されなかったとき、前記第２のデバイスへの送信の要求を示す第２の信号を前記第４の送信ユニットで送信するよう前記ワイヤレス送信機モジュールを制御する送信要求制御モジュールをさらに備える、
請求項１３記載の第１の通信デバイス。
【請求項２２】
前記データ送信制御モジュールは、さらに、前記第４の送信ユニットの後に発生する前記第２のデータ送信間隔中に前記第２のデバイスにデータを送信するよう前記ワイヤレス送信機モジュールを制御する、
請求項２１記載の第１の通信デバイス。
【請求項２３】
前記第２のデバイスからの信号が前記第３の送信ユニットで検出されたとき、および前記第１のデバイスが前記第２の通信デバイスに送信すべきデータを有するとき、前記第２のデバイスへの送信の要求を示す前記第２の信号を前記第４の送信ユニットで送信するよう前記ワイヤレス送信機モジュールを制御する送信要求オーバーライドモジュール、
をさらに備える、請求項２１記載の第１の通信デバイス。
【請求項２４】
前記データ送信制御モジュールは、さらに、前記送信要求制御モジュールが前記第４の送信ユニットで要求を送信するよう前記ワイヤレス送信機モジュールを制御した後の前記第２のデータ送信時間間隔中に前記第２の通信デバイスにデータを送信するよう前記ワイヤレス送信機モジュールを制御する、請求項２３記載の第１の通信デバイス。
【請求項２５】
前記送信要求制御モジュールは、前記第２のデバイスからの信号が前記第３の送信ユニットで検出されたとき、前記第４の送信ユニットでの送信を控えるように前記ワイヤレス送信機モジュールを制御する、請求項２１記載の第１の通信デバイス。
【請求項２６】
前記第３の送信ユニットで前記第２の通信デバイスから受信された送信要求が許容されたとき、前記第２のデータ送信時間間隔中に前記第２の通信デバイスからデータを受信するワイヤレス受信機モジュール、
をさらに備える、請求項２５記載の第１の通信デバイス。
【請求項２７】
第２の通信デバイスを含むシステムにおいて使用するための第１の通信デバイスであって、
前記システムは複数の送信ユニットを有し、各送信ユニットは少なくとも１つのシンボルを伝達し、前記送信ユニットの第１のペアはコネクションを有する通信デバイスの第１のペアに対応し、通信デバイスの前記第１のペアは前記第１の通信デバイスと前記第２の通信デバイスとを含み、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記第１の通信デバイスは、
前記第２のデバイスへの送信の要求を示す信号を前記第１の送信ユニットで送信するワイヤレス送信機手段と、
前記第２のデバイスからの信号を検出するために前記第２の送信ユニットを監視する監視手段と、
前記第１のデバイスが前記第１の送信ユニットで要求を示す前記信号を送信し、前記第２のデバイスからの信号が前記第２の送信ユニットで検出されなかったとき、前記第２の送信ユニットの後に発生するデータ送信間隔中に前記第２のデバイスにデータを送信するよう前記ワイヤレス送信機手段を制御するデータ送信制御手段と、
を備える。
【請求項２８】
前記第２のデバイスからの信号が前記第２の送信ユニットで検出されたとき、前記第２の送信ユニットの後に発生する前記データ送信間隔中に前記第２のデバイスからデータを受信するワイヤレス受信機手段、
をさらに備える、請求項２７記載の第１の通信デバイス。
【請求項２９】
前記第１の送信ユニットと前記第２の送信ユニットとの間に時間ギャップがあり、
前記第１の通信デバイスは、
前記時間ギャップ中に送信動作モードと受信動作モードとの間で切り替えるモード制御手段、
をさらに備える、請求項２８記載の第１の通信デバイス。
【請求項３０】
複数の送信ユニットを有するシステム中の第２の通信デバイスと通信する方法を実装するように第１の通信デバイスを制御するための機械実行可能命令を含むコンピュータ可読媒体であって、
各送信ユニットは少なくとも１つのシンボルを伝達し、前記送信ユニットの第１のペアは通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記方法は、
前記第２のデバイスへの送信の要求を示す信号を前記第１の送信ユニットで送信することと、
前記第２のデバイスからの信号を検出するために前記第２の送信ユニットを監視することと、
前記第２のデバイスからの信号が前記第２の送信ユニットで検出されなかったとき、前記第２の送信ユニットの後に発生するデータ送信間隔中に前記第２のデバイスにデータを送信することと、
を備えるコンピュータ可読媒体。
【請求項３１】
前記方法は、
前記第２のデバイスからの信号が前記第２の送信ユニットで検出されたとき、前記第２の送信ユニットの後に発生する前記データ送信間隔中に前記第２のデバイスからデータを受信すること、
をさらに備える、請求項３０記載のコンピュータ可読媒体。
【請求項３２】
前記第１の送信ユニットと前記第２の送信ユニットとの間に時間ギャップがあり、
前記方法は、
前記時間ギャップ中に送信動作モードと受信動作モードとの間で切り替えること、
をさらに備える、請求項３１記載のコンピュータ可読媒体。
【請求項３３】
複数の送信ユニットを有するシステム中の第２の通信デバイスと通信する第１の通信デバイスにおいて使用するためのプロセッサを備える装置であって、
各送信ユニットは少なくとも１つのシンボルを伝達し、前記送信ユニットの第１のペアが通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記プロセッサは、
前記第２のデバイスへの送信の要求を示す信号を前記第１の送信ユニットで送信し、
前記第２のデバイスからの信号を検出するために前記第２の送信ユニットを監視し、
前記第２のデバイスからの信号が前記第２の送信ユニットで検出されなかったとき、前記第２の送信ユニットの後に発生するデータ送信間隔中で前記第２のデバイスにデータを送信するように前記第１の通信デバイスを制御する、装置。
【請求項３４】
前記プロセッサは、さらに、
前記第２のデバイスからの信号が前記第２の送信ユニットで検出されたとき、前記第２の送信ユニットの後に発生する前記データ送信間隔中に前記第２のデバイスからデータを受信するように前記第１の通信デバイスを制御する、請求項３３記載の装置。
【請求項３５】
前記第１の送信ユニットと前記第２の送信ユニットとの間に時間ギャップがあり、
前記プロセッサは、さらに、
前記時間ギャップ中に送信動作モードと受信動作モードとの間で切り替えるように、前記第１の通信デバイスを制御する、請求項３４記載の装置。
【請求項３６】
複数の送信ユニットを有するシステム中の第１の通信デバイスと通信するように第２の通信デバイスを動作させる方法であって、
各送信ユニットは少なくとも１つのシンボルを伝達し、前記送信ユニットの第１のペアは通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記方法は、
前記第１のデバイスからの信号を検出するために前記第１の送信ユニットを監視することと、
前記第１のデバイスからの信号が前記第１の送信ユニットで検出されなかったとき、
ｉ）前記第２の送信ユニットでデータ送信の要求を送信することと、
ｉｉ）前記第２の送信ユニットに対応する送信時間間隔中に前記第１のデバイスにデータを送信することと、
を備える。
【請求項３７】
前記第１のデバイスからの信号が前記第１の送信ユニットで検出されたとき、前記第１のデバイスから受信された前記要求が前記第２のデバイスからの送信要求によってオーバーライドされるべきかどうかを決定する、請求項３６記載の方法。
【請求項３８】
前記第１のデバイスから受信された前記要求がオーバーライドされるべきと決定された場合、
前記第２の送信ユニット上でのデータ送信の要求を送信することと、
前記第２の送信ユニットに対応する前記送信時間間隔中に前記第１のデバイスにデータを送信することと、
の追加のステップを実行する、請求項３７記載の方法。
【請求項３９】
前記第２の送信ユニットでデータ送信の要求を送信する前記ステップと、前記第１のデバイスにデータを送信する前記ステップとの間の時間期間に前記第１のデバイスからの送信許容信号を受信すること、
をさらに備える、請求項３８記載の方法。
【請求項４０】
前記第１のデバイスから受信された前記要求がオーバーライドされるべきではないと決定された場合、
前記第２の送信ユニットでの送信を控えることと、
前記第１の送信ユニットに対応する前記送信時間間隔中に前記第１のデバイスからデータを受信することと、
の追加のステップを実行する、請求項３８記載の方法。
【請求項４１】
前記第１の送信ユニットを受信することと、前記第１のデバイスからの前記データを受信することとの間の時点で前記第１のデバイスに送信許容信号を送信すること、
をさらに備える、請求項４０記載の方法。
【請求項４２】
前記第１のデバイスから受信された前記要求がオーバーライドされるべきかどうかを決定する前に、前記第１のデバイスからの前記送信要求が前記第２のデバイスの送信の必要性よりも高い送信優先順位を有するかどうかを決定することをさらに備える、請求項３７記載の方法。
【請求項４３】
前記第２のデバイスの前記送信の必要性の前記優先順位が、前記第２のデバイスで送信されるのを待っているデータの前記優先順位に応じる、請求項４２に記載の方法。
【請求項４４】
第１の通信デバイスを含むシステムにおいて使用するための第２の通信デバイスであって、
前記システムは複数の送信ユニットを有し、各送信ユニットは少なくとも１つのシンボルを伝達し、前記送信ユニットの第１のペアはコネクションを有する通信デバイスの第１のペアに対応し、通信デバイスの前記第１のペアは前記第１の通信デバイスと前記第２の通信デバイスとを含み、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記第２の通信デバイスは、
前記第１のデバイスからの信号を検出するために前記第１の送信ユニットを監視する監視モジュールと、
前記第１のデバイスからの信号が前記第１の送信ユニットで検出されなかったとき、および前記第２のデバイスが前記第１のデバイスに送信すべきデータを有するとき、前記第２の送信ユニットでデータ送信の要求を送信し、前記第２の送信ユニットで送信された要求の後の前記第２の送信ユニットに対応する送信時間間隔中に前記第１のデバイスにデータを送信する、ワイヤレス送信機モジュールと、
を備える。
【請求項４５】
前記監視モジュールによって前記第１のデバイスからの信号が前記第１の送信ユニットで検出されたとき、前記第１のデバイスから受信された送信要求が前記第２のデバイスからの送信要求によってオーバーライドされるべきかどうかを決定する要求オーバーライド決定モジュール、
をさらに備える、請求項４４記載の第２の通信デバイス。
【請求項４６】
前記要求オーバーライド決定モジュールが前記第１のデバイスから受信された前記要求がオーバーライドされるべきと決定したとき、前記第２の送信ユニットでデータを送信する要求を送信するよう前記ワイヤレスモジュールを制御する送信要求制御モジュール、
をさらに備える、請求項４５記載の第２の通信デバイス。
【請求項４７】
前記第２の送信ユニットでデータを送信する前記要求の送信の後の時間期間に送信要求信号に応答して送信された送信許容信号を受信するワイヤレス受信機モジュール、
をさらに備える、請求項４６記載の第２の通信デバイス。
【請求項４８】
前記ワイヤレス送信機モジュールは、前記受信された送信許容信号に応答して前記第２の送信ユニットに対応する前記送信時間間隔中に前記第１のデバイスにデータを送信する、請求項４５記載の第２の通信デバイス。
【請求項４９】
前記送信要求オーバーライド決定モジュールが、前記第１のデバイスから受信された前記要求がオーバーライドされるべきではないと決定した場合、前記送信要求制御モジュールは、前記ワイヤレス送信機モジュールを、前記第２の送信ユニットでの送信を控えるように制御する、請求項４６記載の第２の通信デバイス。
【請求項５０】
受信された送信要求が許容されるべきか拒否されるべきかを決定する送信要求評価モジュールと、
前記送信要求評価モジュールが受信された要求が許容されるべきと決定したとき、前記第１の送信ユニットの受信の後の時点で送信許容信号を前記第１のデバイスに送信するよう前記ワイヤレス送信機モジュールを制御する送信要求応答信号制御モジュールと、
をさらに備える、請求項４９記載の第２の通信デバイス。
【請求項５１】
前記送信要求評価モジュールが受信された要求が許容されるべきと決定したとき、前記第１の送信ユニットに対応する前記送信時間間隔中に前記第１のデバイスからのデータを受信するワイヤレス受信機モジュール、
をさらに備える、請求項５０記載の第２の通信デバイス。
【請求項５２】
前記第１のデバイスからの前記送信要求が前記第２のデバイスの送信の必要性よりも高い送信優先順位を有するかどうかを決定する要求優先順位決定モジュールをさらに備え、
前記要求オーバーライド決定モジュールは、前記要求優先順位決定モジュールからの前記決定を使用してオーバーライドの決定をする、
請求項４５記載の第２の通信デバイス。
【請求項５３】
前記第２のデバイスで送信されるのを待っているデータの前記優先順位に応じて、前記第２のデバイスの前記送信の必要性の前記優先順位を決定する送信必要性優先順位モジュール、
をさらに備える、請求項５２記載の第２の通信デバイス。
【請求項５４】
第１の通信デバイスを含むシステムにおいて使用するための第２の通信デバイスであって、
前記システムは複数の送信ユニットを有し、各送信ユニットは少なくとも１つのシンボルを伝達し、前記送信ユニットの第１のペアはコネクションを有する通信デバイスの第１のペアに対応し、通信デバイスの前記第１のペアは前記第１の通信デバイスと前記第２の通信デバイスとを含み、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記第２の通信デバイスは、
前記第１のデバイスからの信号を検出するために前記第１の送信ユニットを監視する監視手段と、
前記第１のデバイスからの信号が前記第１の送信ユニットで検出されなかったとき、および前記第２のデバイスが前記第１のデバイスに送信すべきデータを有するとき、前記第２の送信ユニットでデータ送信の要求を送信し、前記第２の送信ユニットで送信された要求の後の前記第２の送信ユニットに対応する送信時間間隔中に前記第１のデバイスにデータを送信するワイヤレス送信機手段と、
を備える。
【請求項５５】
前記監視モジュールによって前記第１のデバイスからの信号が前記第１の送信ユニットで検出されたとき、前記第１のデバイスから受信された送信要求が前記第２のデバイスからの送信要求によってオーバーライドされるべきかどうかを決定する要求オーバーライド決定手段、をさらに備え、
前記検出された信号は送信要求である、請求項５４記載の第２の通信デバイス。
【請求項５６】
前記要求オーバーライド決定手段が前記第１のデバイスから受信された前記要求がオーバーライドされるべきと決定したとき、前記第２の送信ユニットでデータ送信の要求を送信するよう前記ワイヤレス送信機手段を制御する送信要求制御手段、
をさらに備える、請求項５５記載の第２の通信デバイス。
【請求項５７】
複数の送信ユニットを有するシステム中の第１の通信デバイスと通信する方法を実施するように第２の通信デバイスを制御するための機械実行可能命令を含むコンピュータ可読媒体であって、
各送信ユニットは少なくとも１つのシンボルを伝達し、前記送信ユニットの第１のペアは通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記方法は、
前記第１のデバイスからの信号を検出するために前記第１の送信ユニットを監視することと、
前記第１のデバイスからの信号が前記第１の送信ユニットで検出されなかったとき、
ｉ）前記第２の送信ユニットでデータ送信の要求を送信することと、
ｉｉ）前記第２の送信ユニットに対応する前記送信時間間隔中に前記第１のデバイスにデータを送信することと、
を備える、コンピュータ可読媒体。
【請求項５８】
前記方法は、
前記第１のデバイスからの信号が前記第１の送信ユニットで検出されたとき、前記第１のデバイスから受信された前記要求が前記第２のデバイスからの送信要求によってオーバーライドされるべきかどうかを決定すること、
をさらに備える、請求項５７記載のコンピュータ可読媒体。
【請求項５９】
前記方法は、
前記第１のデバイスから受信された前記要求がオーバーライドされるべきと決定された場合、
前記第２の送信ユニットでデータ送信の要求を送信することと、
前記第２の送信ユニットに対応する前記送信時間間隔中に前記第１のデバイスにデータを送信することと、
の追加のステップを実行することをさらに備える、請求項５８記載のコンピュータ可読媒体。
【請求項６０】
複数の送信ユニットを有するシステム中の第１の通信デバイスと通信する第２の通信デバイスにおいて使用するためのプロセッサを備える装置であって、
各送信ユニットは少なくとも１つのシンボルを伝達し、前記送信ユニットの第１のペアは通信デバイスの第１のペアに対応し、通信デバイスの前記第１のペアは前記第１の通信デバイスと前記第２の通信デバイスとを含み、前記第１の通信デバイスと前記第２の通信デバイスとは既存のコネクションを有し、送信ユニットの前記第１のペアは、前記第１のデバイスに対応する第１の送信ユニットと前記第２のデバイスに対応する第２の送信ユニットとを含み、前記第１の送信ユニットと前記第２の送信ユニットとは時間的に重複せず、前記第１の送信ユニットは前記第２の送信ユニットに先行し、
前記プロセッサは、
前記第１のデバイスからの信号を検出するために前記第１の送信ユニットを監視し、
前記第１のデバイスからの信号が前記第１の送信ユニットで検出されなかったとき、
ｉ）前記第２の送信ユニットでデータ送信の要求を送信し、
ｉｉ）前記第２の送信ユニットに対応する前記送信時間間隔中に前記第１のデバイスにデータを送信するように前記第２の通信デバイスを制御する、装置。
【請求項６１】
前記プロセッサは、さらに、
前記第１のデバイスからの信号が前記第１の送信ユニットで検出されたとき、前記第１のデバイスから受信された前記要求が前記第２のデバイスからの送信要求によってオーバーライドされるべきかどうかを決定するように前記第２の通信デバイスを制御する、請求項６０記載の装置。
【請求項６２】
前記プロセッサは、さらに、
前記第１のデバイスから受信された前記要求がオーバーライドされるべきと決定された場合、
前記第２の送信ユニットでデータ送信の要求を送信し、
前記第２の送信ユニットに対応する前記送信時間間隔中に前記第１のデバイスにデータを送信するように前記第２の通信デバイスを制御する、請求項６１記載の装置。
【発明の詳細な説明】
【優先権の主張】
【０００１】
本出願は、開示の全体が参照により本明細書に組み込まれる、２００７年１０月３１日に出願された、「ＭＥＴＨＯＤＳ  ＡＮＤ  ＡＰＰＡＲＡＴＵＳ  ＲＥＬＡＴＥＤ  ＴＯ  ＳＩＧＮＡＬＩＮＧ  ＲＥＱＵＥＳＴ  ＴＯ  ＴＲＡＮＳＭＩＴ  ＴＲＡＦＦＩＣ  ＩＮ  Ａ  ＷＩＲＥＬＥＳＳ  ＣＯＭＭＵＮＩＣＡＴＩＯＮＳ  ＳＹＳＴＥＭ」と題する米国特許出願第１１／９３３，００９号の利益を主張する。
【技術分野】
【０００２】
様々な実施形態は、ワイヤレス通信のための方法および装置を対象とし、より詳細には、ピアツーピアワイヤレス通信において使用するための方法および装置を対象とする。
【背景技術】
【０００３】
ピアツーピア通信システムでは、コネクションを有するワイヤレス端末のペアは、一般に、トラフィック信号を交換することを望む。第１の方向のトラフィックフローのために確保されたエアリンクリソースの第１のセットと、第２の方向のトラフィックフローのために確保されたエアリンクリソースの第２のセットとを厳密に定義し、前記第１のセットと前記第２のセットが重複しない手法は、フローレベルがあらかじめ定義されたセットに一致しないとリソースの無駄をもたらす。ペアのうちのいずれかのワイヤレス端末が共有要求リソース上で必要に応じてトラフィック要求を送信できるようにする手法は衝突をもたらし、その場合、要求は再生も承認もされず、その結果、要求されたトラフィックリソース、たとえば、トラフィックセグメントは無駄になる。したがって、ピアツーピアワイヤレス通信システムにおける制御シグナリングに関する改善された方法および装置が必要である。
【０００４】
ピアツーピアトラフィックシグナリングに関する効率的な制御シグナリングを可能にする方法および装置が開発されれば有益であろう。接続されたワイヤレス端末のペアが送信と受信の両方に同じ周波数帯域を利用するピアツーピア通信では、エアリンクリソースを無駄にする傾向がある送信衝突を回避することが望ましい。接続されたピアの送信と受信との間の調整を可能にする方法および装置が有益であろう。異なる時間におけるワイヤレス端末の接続されたペア間の指向性トラフィックフローの異なる平衡を考慮に入れる柔軟性を与える、および／または異なる優先順位要件に対応する方法および装置も有益であろう。
【発明の概要】
【０００５】
様々な実施形態は、ワイヤレス通信のための方法および装置を対象とし、ピアツーピア通信システムでの使用に好適である。ピアツーピアワイヤレス通信デバイスのペアがコネクションを確立しており、トラフィック信号を伝達することを望んでいると考える。いくつかの実施形態は、複数のトラフィック送信間隔と各送信トラフィック間隔に関連するエアリンクリソースのセットとを含む実装された循環タイミング構造を利用する。たとえば、ピアツーピアコネクションを有するピアツーピア通信デバイスのペアに対応して、特定のトラフィックスロットのために、第１の通信デバイスに関連する第１の送信要求リソースと第２の通信デバイスに関連する第２の送信要求リソースとがあり、第１の送信要求リソースは第２の送信要求リソースに先行する。また、通信デバイスが送信モードから受信モードにまたはその逆に切り替わるときに伴う待ち時間を考慮に入れるために、第１の送信要求リソースと第２の送信要求リソースとの間にギャップがある。
【０００６】
第１の通信デバイスは、第１の送信要求リソースを利用して、関連する送信トラフィック間隔中に第２の通信デバイスにデータを送信したいという要求を送信する。第１のデバイスは、第２の送信要求リソースを利用して、同じ送信トラフィック間隔に対応する第２のデバイスからの送信要求を監視する。いくつかの実施形態では、第１の送信要求リソース上で送信された送信要求は、優先権を有し、オーバーライドできない。いくつかの実施形態では、第１の送信要求リソース上で第１のデバイスから送信された送信要求は、第２の送信要求リソースを使用する第２のデバイスから送信された送信要求によってオーバーライドでき、時々オーバーライドされる。
【０００７】
第２の通信デバイスは、第１の送信要求リソースを利用して、関連する送信トラフィック間隔中に第２の通信デバイスにデータを送信したいという要求である、第１の通信デバイスからの要求を監視する。第２のデバイスは、第２の送信要求リソースを利用して、第１のデバイスにトラフィックを送信したいという要求である、同じ送信トラフィック間隔に対応する第１のデバイスに送信要求を送信する。いくつかの実施形態では、第１の送信要求リソース上で受信された送信要求は、優先権を有し、オーバーライドできない。いくつかの実施形態では、第１の送信要求リソース上で第１のデバイスから受信された送信要求は、第２の送信要求リソースを使用する第２のデバイスから送信された送信要求によってオーバーライドでき、時々オーバーライドされる。
【０００８】
いくつかの実施形態では、両方の送信要求リソースの後であるが、送信トラフィック間隔より前に発生する共有要求応答リソースがある。この共有要求応答リソースを使用して、潜在的な要求のいずれかに対応する、たとえば、施行されている要求プロトコルによる優先権を有する要求に対応する要求応答肯定応答を伝達する。第１のワイヤレス通信デバイスから見て、特定の間隔中の受信モードまたは送信モードのその設定は明瞭であり、これは、エアリンクリソースを無駄にする衝突を回避するために有利である。たとえば、第１のワイヤレス通信デバイスは、要求を送信することを望むとき、第１の送信要求間隔中に送信モードになるように制御され、要求を受信することが予想されるとき、第２の送信要求間隔中に受信モードになるように制御される。要求応答間隔中およびトラフィック送信間隔中の受信設定または送信設定は、ピア間で伝達される要求シグナリングと実装された優先順位規則とに従う。
【０００９】
第２のワイヤレス通信デバイスから見て、特定の間隔中の受信モードまたは送信モードのその設定は明瞭であり、これは、エアリンクリソースを無駄にする、たとえば、トラフィックセグメントを無駄にする衝突を回避するために有利である。たとえば、第２のワイヤレス通信デバイスは、第１の送信要求間隔中に受信モードになるように制御され、送信すべきデータを有し、実装された要求シグナリング規則、たとえば、優先順位要件およびオーバーライドプロトコルに従って送信することが許可されたとき、第２の送信要求間隔中に送信モードになるように制御される。要求応答間隔中およびトラフィック送信間隔中の第２の通信デバイスのための受信設定または送信設定は、ピア間で伝達される要求シグナリングと実装された優先順位規則とに従う。
【００１０】
いくつかの実施形態では、要求信号は、比較的少量のエアリンクリソース、たとえば、１つのＯＦＤＭシンボル送信時間間隔の継続時間の間の単一のＯＦＤＭトーンを利用する。各要求リソースに対応する個々の要求応答リソースの代わりに、共有要求応答リソースを使用することにより、オーバーヘッドに割り当てられるエアリンクリソースの量が減少し、トラフィック信号を搬送するためにより多くのエアリンクリソースが利用できるようになる。
【００１１】
システム中の第２の通信デバイスと通信するように第１の通信デバイスを動作させる例示的な方法について説明する。システムは、複数の送信ユニットを有し、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。この例示的な方法は、前記第２のデバイスに送信したいという要求を示す信号を第１の送信ユニット上で送信することと、第２のデバイスからの信号を検出するために第２の送信ユニットを監視することと、第２のデバイスからの信号が第２の送信ユニット上で検出されなかったとき、前記第２の送信ユニットの後に発生するデータ送信間隔中で第２のデバイスにデータを送信することとを備える。
【００１２】
第２の通信デバイスを含むシステムにおいて使用するための例示的な第１の通信デバイスについて説明する。システムは、複数の送信ユニットを有し、各送信ユニットが少なくとも１つのシンボルを伝達し、前記送信ユニットの第１のペアが、コネクションを有する通信デバイスの第１のペアに対応し、通信デバイスの前記第１のペアが前記第１の通信デバイスと第２の通信デバイスとを含み、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。例示的な第１の通信デバイスは、前記第２のデバイスに送信したいという要求を示す信号を第１の送信ユニット上で送信するためのワイヤレス送信機モジュールと、第２のデバイスからの信号を検出するために第２の送信ユニットを監視するための監視モジュールと、前記第１のデバイスが第１の送信ユニット上で要求を示す前記信号を送信し、第２のデバイスからの信号が第２の送信ユニット上で検出されなかったとき、前記第２の送信ユニットの後に発生するデータ送信間隔中で第２のデバイスにデータを送信するための前記ワイヤレス送信機モジュールを制御するためのデータ送信制御モジュールと、を備える。
【００１３】
システム中の第１の通信デバイスと通信するように第２の通信デバイスを動作させる例示的な方法について説明する。システムは、複数の送信ユニットを有し、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。例示的な方法は、第１のデバイスからの信号を検出するために第１の送信ユニットを監視することと、第１のデバイスからの信号が第１の送信ユニット上で検出されなかったとき、ｉ）第２の送信ユニット上でデータを送信したいという要求を送信することと、ｉｉ）前記第２の送信ユニットに対応する送信時間間隔中に第１のデバイスにデータを送信することとを備える。
【００１４】
第１の通信デバイスを含むシステムにおいて使用するための例示的な第２の通信デバイスについて説明する。システムは、複数の送信ユニットを有し、各送信ユニットが少なくとも１つのシンボルを伝達し、前記送信ユニットの第１のペアが、コネクションを有する通信デバイスの第１のペアに対応し、通信デバイスの前記第１のペアが前記第１の通信デバイスと第２の通信デバイスとを含み、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。例示的な第２の通信デバイスは、第１のデバイスからの信号を検出するために第１の送信ユニットを監視するための監視モジュールと、第１のデバイスからの信号が第１の送信ユニット上で検出されなかったとき、および第２のデバイスが第１のデバイスに送信すべきデータを有するとき、データを送信したいという要求を第２の送信ユニット上で送信し、第２の送信ユニット上で送信された要求の後の前記第２の送信ユニットに対応する送信時間間隔中に第１のデバイスにデータを送信するためのワイヤレス送信機モジュールとを備える。
【００１５】
上記の概要で様々な実施形態について論じたが、必ずしもすべての実施形態が同じ特徴を含むわけではなく、上述の特徴のいくつかは、必要ではないが、いくつかの実施形態では望ましいことを諒解されたい。多数の追加の特徴、実施形態および利益について、以下の詳細な説明において論じる。
【図面の簡単な説明】
【００１６】
【図１】様々な実施形態による例示的なピアツーピアワイヤレス通信システムの図。
【図２】様々な実施形態による例示的なピアツーピアトラフィックスロットの図。
【図３】様々な実施形態による、例示的なピアツーピアモバイル通信デバイスと、ピアツーピアトラフィックをサポートするためにデバイス間で交換される例示的なシグナリングとを示す図。
【図４】２つの半二重ピアツーピア通信デバイスが互いに同時に要求をシグナリングしようと試みている、例示的な問題状態を示す図。
【図５】図４に示す競合状態の発生を防ぐなどのために、要求構造が意図的に調整される例示的な一実施形態を示す図。
【図６】既存のコネクションを有する、ピアツーピアワイヤレス端末のペアのための要求位置のペアに対応するトラフィック送信要求シンボルの順序がトラフィックスロットごとに変化する例示的な一実施形態を示す図。
【図７】様々な実施形態によるピアツーピアトラフィック間隔要求および応答シグナリングの例示的なスキームを示す図。
【図８】様々な実施形態によるピアツーピアトラフィック間隔要求および応答シグナリングの例示的なスキームを示す図。
【図９】異なるシグナリングの可能性のための、図８に関して説明したピアツーピアトラフィック間隔要求および応答シグナリングの例示的なスキームを示す図。
【図１０】様々な実施形態によるピアツーピアトラフィック間隔要求および応答シグナリングの例示的なスキームを示す図。
【図１１】異なるシグナリングの可能性のための、図１０に関して説明したピアツーピアトラフィック間隔要求および応答シグナリングの例示的なスキームを示す図。
【図１２】異なるシグナリングの可能性のための、図１０および図１１に関して説明したピアツーピアトラフィック間隔要求および応答シグナリングの例示的なスキームを示す図。
【図１３】様々な実施形態による第１のピアツーピア通信デバイスを動作させる例示的な方法のフローチャート。
【図１４】様々な実施形態による第１のピアツーピア通信デバイスを動作させる例示的な方法のフローチャート。
【図１５】様々な実施形態による第２の通信デバイスと通信するように第１の通信デバイスを動作させる例示的な方法のフローチャート。
【図１６】様々な実施形態による第２の通信デバイスと通信するように第１の通信デバイスを動作させる例示的な方法のフローチャート。
【図１７】様々な実施形態による第１の通信デバイスと通信するように第２の通信デバイスを動作させる例示的な方法のフローチャート。
【図１８】様々な実施形態による第２の通信デバイスと通信するように第１の通信デバイスを動作させる例示的な方法のフローチャート。
【図１９】様々な実施形態による第１の通信デバイスと通信するように第２の通信デバイスを動作させる例示的な方法のフローチャート。
【図２０】様々な実施形態による例示的な第１の通信デバイスを示す図。
【図２１】様々な実施形態による例示的な第２の通信デバイスを示す図。
【図２２】様々な実施形態による例示的な第１の通信デバイスを示す図。
【図２３】様々な実施形態による例示的な第２の通信デバイスを示す図。
【発明を実施するための形態】
【００１７】
図１は、様々な実施形態による例示的なピアツーピアワイヤレス通信システム１００の図である。例示的なワイヤレス通信システム１００は、複数のワイヤレス端末、たとえば、ピアツーピア通信をサポートするモバイルノード（ピアツーピアワイヤレス端末１  １０２、ピアツーピアワイヤレス端末２  １０４、ピアツーピアワイヤレス端末３  １０６、ピアツーピアワイヤレス端末４  １０８、ピアツーピアワイヤレス端末５  １１０、ピアツーピアワイヤレス端末６  １１２、…、ピアツーピアワイヤレス端末Ｎ１１４）を含む。この例では、図１によって表される時間において、ピアツーピアワイヤレス端末１  １０２は、矢印１１６によって示されるピアツーピアワイヤレス端末２  １０４とのアクティブなコネクションを有し、ピアツーピアワイヤレス端末３  １０６は、矢印１１８によって示されるピアツーピアワイヤレス端末４  １０８とのアクティブなコネクションを有し、ピアツーピアワイヤレス端末５  １１０は、矢印１２０によって示されるピアツーピアワイヤレス端末６  １１２とのアクティブなコネクションを有する。
【００１８】
様々な実施形態の特徴によれば、ピアツーピアエアリンクトラフィックリソース（たとえば、ピアツーピアトラフィックセグメント）上で送信すべきか否かの決定は、送信ノードと受信ノードの両方が決定プロセスへの入力を有する分散型の方法で実行される。様々な実施形態では、同じピアツーピアエアリンクトラフィックリソース上で送信することを望む他のピアツーピア通信デバイスに関する干渉要件が送信決定を行う際に考慮される。いくつかのそのような実施形態では、ピアツーピアデバイスがアクティブなコネクションを有しないピアツーピアデバイスからの監視されたピアツーピア信号が送信決定プロセスに使用される。
【００１９】
いくつかの実施形態では、トラフィック信号を送信したいという送信要求の後に、意図された受信デバイスと意図された送信デバイスの両方は、他のピアツーピアデバイスに譲歩し、要求されたピアツーピアトラフィックシグナリングが進まないようにする機会を有する。
【００２０】
いくつかの実施形態では、トラフィックを送信するという送信デバイスの決定に従って、前記トラフィックの送信より前に、送信デバイスはピアツーピアパイロット信号を送信する。いくつかのそのような実施形態では、トラフィックデータのデータレートを決定するために使用すべき情報を決定するために、ピアツーピアパイロット信号が受信デバイスによって利用される。いくつかの実施形態では、トラフィック信号を搬送するエアリンクリソースはまた、トラフィックのデータレート情報を搬送する。
【００２１】
図２は、様々な実施形態による例示的なピアツーピアトラフィックスロットの図２００である。図２００に、時間軸２０２に沿ってピアツーピアトラフィックスロットの例示的なシーケンス（ピアツーピアトラフィックスロット１  ２０４、ピアツーピアトラフィックスロット２  ２０６、ピアツーピアトラフィックスロット３  ２０８、…、ピアツーピアトラフィックスロットＮ２１０）を示す。この例示的な実施形態では、シーケンスは、ピアツーピアトラフィックスロットＮ２１０の後にくるピアツーピアトラフィックスロット１  ２０４’によって示される循環タイミング構造の一部として繰り返す。
【００２２】
例示的な図２００は、たとえば、論理表現である。いくつかの実施形態では、論理構造通信リソースは物理エアリンクリソースにマッピングされる。たとえば、ピアツーピアトラフィックスロット２０８は、ユーザスケジュール部分２１２と、レートスケジュール部分２１４と、トラフィック部分２１６と、確認応答部分２１８とを含むことが示され、それらの部分は互いに隣接する。それらの部分に関連する物理エアリンクリソースは、たとえば、処理時間を与えるために、それらの間に時間ギャップを有することができる。いくつかの実施形態では、マッピングの一部としてトーンホッピングが実装される。
【００２３】
各例示的なピアツーピアトラフィックスロットは、いくつかの実施形態では、ユーザスケジュール部分と、レートスケジュール部分と、トラフィック部分と、確認応答部分とを含む。例示的な一実施形態では、例示的なピアツーピアトラフィックスロット、たとえば、ピアツーピアトラフィックスロット３  ２０８は、ユーザスケジュール部分２１２と、レートスケジュール部分２１４と、トラフィック部分２１６と、確認応答部分２１８とを含む。確認応答部分２１８は、矢印２１９によって示されるトラフィック部分２１６に対応する。
【００２４】
ユーザスケジュール部分２１２は、トラフィック送信要求信号、たとえば、ＴＸ要求信号を搬送するための要求部分２２０と、トラフィック送信要求応答信号、たとえば、ＲＸエコー信号を搬送するための要求応答部分２２２とを含む。要求部分２２０は第１の要求部分２２４を含み、いくつかの実施形態では、追加の要求部分、たとえば、Ｎ番目の要求部分２２６を含む。要求応答部分２２２は、第１の要求応答部分２２８を含み、いくつかの実施形態では、追加の要求応答部分、たとえば、Ｍ番目の要求応答部分２３０を含む。
【００２５】
図２のこの例示的な表現は、スロットの論理表現とすることができ、いくつかの実施形態ではスロットの論理表現である。たとえば、論理ピアツーピアトラフィックスロット１  ２０４に対応するエアリンクリソースは、そのいくつかが不連続であるトーンシンボルのセットを含むことができる。
【００２６】
図３は、たとえば、第１のデバイスがスロット中でトラフィックを送信したく、第２のデバイスは送信したくない状況下で、または両方のデバイスがトラフィックを送信することを望んでいるが、第１のデバイスが優先順位を有する状況下で、様々な実施形態によるピアツーピアモバイル通信デバイス（３０２、３０４）と、ピアツーピアトラフィックをサポートするためにデバイス（３０２、３０４）間で交換される例示的なシグナリングとを示す図３００である。通信デバイス（３０２、３０４）は、図１のピアツーピアワイヤレス端末のいずれでもよい。この例では、ピアツーピアモバイルデバイス１  ３０２は、トラフィック信号をピアツーピアモバイルデバイス２  ３０４に送信することを望む。線３０１は時間を示し、ユーザスケジュール部分３１０の後にレートスケジュール部分３１６、トラフィック部分３２０、確認応答部分３２４が続く。
【００２７】
ユーザスケジュール部分３１０中、ピアツーピアモバイルデバイス１  ３０２は、要求信号３０６を生成し、送信する。ピアツーピアモバイルデバイス２  ３０４、すなわち、要求信号３０６の予定受信者は、要求信号３０６を受信し、信号を処理し、要求を考慮し、要求を承認した場合、ＲＸエコー信号３０８を送信する。要求を承認しない場合、ピアツーピアモバイルデバイス２  ３０４は応答を送信しない。
【００２８】
レートスケジュール部分３１６中、ピアツーピアモバイル通信デバイス１  ３０２はパイロット信号３１２を送信する。ピアツーピアモバイルデバイス２  ３０４は、パイロット信号３１２を受信し、受信信号強度を測定し、レート情報信号３１４を生成する。レート情報信号３１４は、ピアツーピアモバイルデバイス１  ３０２が、後続のトラフィック部分３２０中に使用すべき最大許容データレートを決定することができるように、たとえば、レート、ＳＮＲ値、干渉値、および／またはＳＩＲ値を伝達する。ピアツーピアモバイルデバイス２  ３０４は、生成されたレート情報信号３１４をピアツーピアモバイルデバイス１  ３０２に送信する。
【００２９】
ピアツーピアモバイルデバイス１  ３０２は、レート情報信号３１４を受信し、トラフィック部分３２０に使用すべき最大許容伝送レートを決定する。ピアツーピアモバイルデバイス１  ３０２は、決定された最大許容伝送レートに応じて、最大許容伝送レート以下である、使用すべき実際のデータレートを決定する。様々な実施形態では、ピアツーピアモバイルデバイス１  ３０２はまた、トラフィックに使用すべき実際の送信データレートを決定する際に、（ｉ）伝達されるのを待っているトラフィックデータの量、および／または（ｉｉ）その電力状況、たとえばバッテリ電力残量、および／または動作モードを考慮する。
【００３０】
ピアツーピアモバイルデバイス１  ３０２は、トラフィック部分３２０中にトラフィック信号３１８を生成し、送信する。トラフィック信号は、決定された実際のデータレートでデータを伝達する。いくつかの実施形態では、トラフィック信号はまた、実際のデータレートの指示を搬送する。１つのそのような実施形態では、レート情報は、トラフィックに割り当てられたリソースのサブセットを使用して伝達され、たとえば、トラフィックリソースは、レート情報を搬送するために割り当てられる第１の部分、たとえば、ＯＦＤＭトーンシンボルの第１のセットと、トラフィック、たとえばユーザデータを搬送するために割り当てられる第２の部分、たとえば、ＯＦＤＭトーンシンボルの第２のセットとを含み、第１のセットと第２のセットは重複しない。別のそのような実施形態では、レート情報は、トラフィックを搬送する同じリソースを使用して伝達され、たとえば、レート情報は、トラフィック信号を搬送する変調シンボルの送信電力を変更することによって伝達され、たとえば、トラフィックを搬送するいくつかのＯＦＤＭトーンシンボルは第１の電力レベルに調整され、他は第２の電力レベルに調整され、レート情報は、どの位置がどのレベルに調整されるかによって伝達される。
【００３１】
ピアツーピアモバイルデバイス２  ３０４は、トラフィック部分３２０中にトラフィック信号３１８を受信し、伝達されているデータを再生する。いくつかの実施形態では、レート情報もトラフィックデータとともに伝達される。いくつかのそのような実施形態では、ピアツーピアモバイルデバイス２  ３０４は、伝達されている通信レート情報を再生し、次いでトラフィックデータ信号を復号する。ピアツーピアモバイルデバイス２  ３０４は、トラフィック信号３１８の通信データが正常に再生されたかどうかを決定し、肯定または否定の確認応答信号を生成する。
【００３２】
確認応答部分３２４中、ピアツーピアモバイルデバイス２  ３０４は、モバイルピアへの生成されたＡＣＫ信号３２２をピアツーピアデバイス１  ３０２に送信する。ピアツーピアモバイルデバイス１  ３０２は、ＡＣＫ信号３２２を受信し、ＡＣＫ信号３２２によって搬送された情報に基づいて送信待ち行列情報を更新する。
【００３３】
ピアツーピアモバイルデバイス１  ３０２がＲＸエコー信号を受信しないか、または、その後、送信を続けないことを決定した場合、デバイス３０２は、パイロット信号３１２を送信せず、このトラフィックスロットに関する動作を終了することができることに留意されたい。同様に、ピアツーピアモバイルデバイス３０４が送信を続けないことを決定した場合、要求信号３０６を受信した後、モバイルデバイス３０４は、ＲＸエコー信号を送信せず、このトラフィックスロットに関する動作を終了することができる。
【００３４】
プロセスは、たとえば、ピアツーピアモバイルデバイス１  ３０２のトラフィック送信の必要性に応じて、追加のトラフィックスロットの間、繰り返される。
【００３５】
図４は、２つの半二重ピアツーピア通信デバイスが互いに同時に要求をシグナリングしようと試みている、例示的な問題状態を示す図４００である。この例では、接続されたペア（ＷＴ  ＡおよびＷＴ  Ｂ）のピアツーピアワイヤレス端末はそれぞれ、送信トラフィック間隔を使用したいという要求を送信することができ、その要求構造は要求が衝突することを妨げられないようなものである。この例では、既存のコネクションを有する２つのピアツーピア通信デバイス、ＷＴ  ＡおよびＷＴ  Ｂはそれぞれ、同じ要求シンボル中で要求をシグナリングする。両方が同時に送信を開始するので、両方とも送信モードになり、聴取しなくなり、したがって、要求信号は受信されなくなる。
【００３６】
図４００は、周波数、たとえば、ＯＦＤＭトーンを表す垂直軸４０２と、時間、たとえば、シンボル送信時間間隔を表す水平軸４０４とを含む。図４００は、要求時間間隔４２６中に発生し、送信トラフィック間隔、たとえば、要求時間間隔４２６の後に発生するピアツーピアトラフィックセグメントに対応する要求エアリンクリソース４０６を含む。要求エアリンクリソース４０６は、複数の要求シンボル（要求シンボル１  ４１０、要求シンボル２  ４１２、要求シンボル３  ４１４、要求シンボル４  ４１６、要求シンボル５  ４１８、要求シンボル６  ４２０、要求シンボル７  ４２２、要求シンボル８  ４２４）を含む。凡例４０８は、この例では、Ａ−＞Ｂピアツーピア送信トラフィック要求がＷＴ  Ａによってシグナリングされ、Ｂ−＞Ａピアツーピア送信トラフィック要求がＷＴ  Ｂによってシグナリングされる要求シンボルが両方とも、ブロック４２８によって示される網掛けの陰影によって示されることを識別する。この例では、要求シンボル２  ４１２がそのようなシンボルである。凡例４０８は、Ａ−＞Ｂ要求を搬送するＯＦＤＭトーンシンボル、たとえば、１つのシンボル送信時間間隔の間に１つのＯＦＤＭトーンを備えるエアリンクリソースの基本単位は、凡例４０８中のサンプル４３０で示すように指定Ａ−＞Ｂをもつ正方形によって示され、要求シンボル４１２中の正方形４３１によって表されることを示す。凡例４０８はまた、Ｂ−＞Ａ要求を搬送するＯＦＤＭトーンシンボルが、凡例４０８中のサンプル４３２で示すように指定Ｂ−＞Ａをもつ正方形によって示され、要求シンボル４１２中の正方形４３３によって表されることを示す。
【００３７】
両方のデバイスが、この例のように同じ要求シンボル中に互いに送信する意図をシグナリングした場合、競合が生じる。両方のデバイスは同時に送信モードになっており、いずれももう一方の要求を見ない。したがって、いずれも肯定の要求応答信号を生成せず、送信せず、肯定の要求応答信号を受信しない。したがって、両方とも対応するトラフィック送信間隔中にトラフィックを伝達したいとしても、いずれもそのトラフィック送信間隔中に送信しない。したがって、この例示的な実施形態では、デッドロック状態が発生することがあり、時々発生し、送信スロットが無駄になることがある。
【００３８】
図５に、図４に示す競合状態の発生を防ぐなどのために、要求構造が意図的に調整される例示的な一実施形態を示す。この例では、ペアの第２のワイヤレス端末に向けられたペアの第１のワイヤレス端末からの要求が、ペアの第２のワイヤレス端末からペアの第１のワイヤレス端末への要求とは異なる要求シンボル上で発生するように、接続されたペアに対応する要求リソースは意図的に構造化されている。さらに、ワイヤレス端末デバイスを、送信から受信モードと受信から送信モードとの間で再構成できるようにしたいなどの要求を搬送することができる２つの要求シンボル間の意図的なギャップがある。
【００３９】
図５００は、周波数、たとえば、ＯＦＤＭトーンを表す垂直軸５０２と、時間、たとえば、シンボル送信時間間隔を表す水平軸５０４とを含む。図５００は、要求時間間隔５３４中に発生し、送信トラフィック間隔、たとえば、要求時間間隔５３４の後に発生するピアツーピアトラフィックセグメントに対応する要求エアリンクリソース５０６を含む。要求エアリンクリソース５０６は、複数の要求シンボル（要求シンボル１  ５１０、要求シンボル２  ５１２、要求シンボル３  ５１４、要求シンボル４  ５１６、要求シンボル５  ５１８、要求シンボル６  ５２０、要求シンボル７  ５２２、要求シンボル８  ５２４）を含む。凡例５０８は、この例では、ＷＴ  ＡによってシグナリングされるＡ−＞Ｂピアツーピア送信トラフィック要求を搬送するように指定された要求シンボルが、ブロック５２６によって示される左から右への下降斜線の陰影によって示されることを識別する。この例では、要求シンボル２  ５１２がそのようなシンボルである。凡例５０８はまた、この例では、ＷＴ  ＢによってシグナリングされるＢ−＞Ａピアツーピア送信トラフィック要求を搬送するように指定された要求シンボルが、ブロック５２８によって示される左から右への上昇斜線の陰影によって示されることを識別する。この例では、要求シンボル５  ５１８がそのようなシンボルである。凡例５０８は、Ａ−＞Ｂ要求を搬送するために指定されるＯＦＤＭトーンシンボル、たとえば、１つのシンボル送信時間間隔の間に１つのＯＦＤＭトーンを備えるエアリンクリソースの基本単位が、凡例５０８中のサンプル５３０で示すように指定Ａ−＞Ｂをもつ正方形によって示され、要求シンボル５１２中の正方形５３１によって表されることを示す。凡例５０８はまた、Ｂ−＞Ａ要求を搬送するＯＦＤＭトーンシンボルが、凡例５０８中のサンプル５３２で示すように指定Ｂ−＞Ａをもつ正方形によって示され、要求シンボル５１８中の正方形５３３によって表されることを示す。ペアに対応する２つの要求シンボル（５１２、５１８）間に、たとえば、デバイスＡがギャップ５３６中に送信機モードから受信機モードに再構成することができ、デバイスＢがギャップ５３６中に受信モードから送信機モードに再構成することができるデバイス再構成を可能にするギャップ５３６があることに留意されたい。
【００４０】
図６に、既存のコネクションを有する、ピアツーピアワイヤレス端末のペアのための要求位置のペアに対応するトラフィック送信要求シンボルの順序がトラフィックスロットごとに変化する例示的な一実施形態を示す。いくつかのそのような実施形態では、要求機会の位置は、優先順位情報を搬送し、たとえば、第１の要求位置を有するＷＴは、その特定のスロットのための優先順位を得る。図６００は、周波数、たとえば、ＯＦＤＭトーンを表す垂直軸６０２と、時間、たとえば、循環タイミング構造中のシンボル送信時間間隔を表す水平軸６０４とを含む。
【００４１】
第１のトラフィック送信時間間隔に対応する要求時間間隔１  ６０６中の要求、たとえば、トラフィックセグメントは、時間間隔１  ６０６の後にくる。要求時間間隔１  ６０６では、要求シンボル６１２は、ＷＴ  ＡからＷＴ  Ｂに向けられたＡ−＞Ｂピアツーピア送信トラフィック要求を搬送するために指定され、要求シンボル６１４は、ＷＴ  ＢからＷＴ  Ａに向けられたＢ−＞Ａピアツーピア送信トラフィック要求を搬送するために指定され、要求シンボル６１２は要求シンボル６１４に先行する。要求時間間隔２  ６０８では、要求シンボル６１６は、ＷＴ  ＢからＷＴ  Ａに向けられたＢ−＞Ａピアツーピア送信トラフィック要求を搬送するために指定され、要求シンボル６１８は、ＷＴ  ＡからＷＴ  Ｂに向けられたＡ−＞Ｂピアツーピア送信トラフィック要求を搬送するために指定され、要求シンボル６１６は要求シンボル６１８に先行する。要求時間間隔３  ６１０では、要求シンボル６２０は、ＷＴ  ＡからＷＴ  Ｂに向けられたＡ−＞Ｂピアツーピア送信トラフィック要求を搬送するために指定され、要求シンボル６２２は、ＷＴ  ＢからＷＴ  Ａに向けられたＢ−＞Ａピアツーピア送信トラフィック要求を搬送するために指定され、要求シンボル６２０は要求シンボル６２２に先行する。
【００４２】
この例では、コネクションを有するピアツーピアワイヤレス端末のペアに対応する、所与の要求スロットについて、重複しない少なくとも２つの要求シンボル、すなわち、ペアに関する第１の方向に関連する第１の要求シンボルとペアに関する第２の方向に関連する第２の要求シンボルとがあり、所与のデバイスにおいて送信機／受信機ターンアラウンドを可能にするギャップが、その２つのシンボル間にある。
【００４３】
いくつかの実施形態では、どの要求機会をスロットに関して配置するかという順序が、構造中であらかじめ決定される。いくつかの実施形態では、たとえば、ワイヤレス端末のペアに知られている擬似ランダム関数により、その順序は異なる。様々な実施形態では、その順序は、一方向を他方向よりも有利であるようにバイアスされる。いくつかのそのような実施形態では、バイアスは、セットアップ時に、たとえば、２つのワイヤレス端末間のコネクションが確立されたとき確立される。いくつかの実施形態では、バイアスは、２つのワイヤレス端末間で取り決められる。
【００４４】
図７は、様々な実施形態によるピアツーピアトラフィック間隔要求および応答シグナリングのスキームを示す図７００である。このスキームでは、既存のコネクションを有するピアツーピアワイヤレス端末のペアは、指定された要求シンボルリソースであり、ピアツーピアトラフィック間隔エアリンクリソース、たとえば、ピアツーピアトラフィックセグメントに対応する応答シンボルリソースに対応する。図７００は、水平軸７０４上の時間に対する垂直軸７０２上の周波数を示す。図７００は、第１の要求時間間隔７０６と、後続の第１の応答時間間隔７０８と、後続の第２の要求時間隔７１０と、後続の第２の応答時間間隔７１２と、後続のトラフィック間隔７１３とを示す。
【００４５】
第１の要求時間間隔７０６中には、複数の要求シンボル（要求シンボル１  ７１４、要求シンボル２  ７１６、要求シンボル３  ７１８、要求シンボル４  ７２０）がある。第１の応答時間間隔７０８中には、複数の要求応答シンボル（要求応答シンボル１  ７２２、要求応答シンボル２  ７２４、要求応答シンボル３  ７２６、要求応答シンボル４  ７２８）がある。トラフィック信号をピアツーピアトラフィック間隔エアリンクリソース７４６に送信することを要求する要求信号を搬送するための第１の要求時間間隔７０６の要求リソースは、応答信号を搬送するための第１の応答時間間隔７０８の対応する要求応答リソースに関連する。この例では、要求シンボル２  ７１６のＯＦＤＭトーンシンボル７４８は、ワイヤレス端末Ａが送信要求信号をワイヤレス端末Ｂに送信するために使用するように指定され、要求応答シンボル２  ７２４のＯＦＤＭトーンシンボル７５０は、ワイヤレス端末ＢがＲＸエコー信号をワイヤレス端末Ａに送信するために使用するように指定され、エコー信号は、ピアツーピアトラフィック間隔エアリンクリソース７４６を使用して、ワイヤレス端末Ａがピアツーピアトラフィック信号をワイヤレス端末Ｂに送信するための、ワイヤレス端末Ｂの承認を搬送する。
【００４６】
第２の要求時間間隔７１０中には、複数の要求シンボル（要求シンボル５  ７３０、要求シンボル６  ７３２、要求シンボル７  ７３４、要求シンボル８  ７３６）がある。第２の応答時間間隔７１２中には、複数の要求応答シンボル（要求応答シンボル５  ７３８、要求応答シンボル６  ７４０、要求応答シンボル７  ７４２、要求応答シンボル８  ７４４）がある。トラフィック信号をピアツーピアトラフィック間隔エアリンクリソース７４６に送信することを要求する要求信号を搬送するための第２の要求時間間隔７１０の要求リソースは、応答信号を搬送するための第２の応答時間間隔７１２の対応する要求応答リソースに関連する。この例では、要求シンボル６  ７３２のＯＦＤＭトーンシンボル７５２は、ワイヤレス端末Ｂが送信要求信号をワイヤレス端末Ａに送信するために使用するように指定され、要求応答シンボル６  ７４０のＯＦＤＭトーンシンボル７５４は、ワイヤレス端末ＡがＲＸエコー信号をワイヤレス端末Ｂに送信するために使用するように指定され、エコー信号は、ピアツーピアトラフィック間隔エアリンクリソース７４６を使用して、ワイヤレス端末Ｂがピアツーピアトラフィック信号をワイヤレス端末Ａに送信するためのワイヤレス端末Ａの承認を搬送する。
【００４７】
接続されたワイヤレス端末ペア（Ａ、Ｂ）に関して、ワイヤレス端末Ａとワイヤレス端末Ｂとのうちのせいぜい１つがピアツーピアトラフィック間隔エアリンクリソース７４６に送信すべきであることに留意されたい。ワイヤレス端末が、トラフィック間隔７１３に関して、ピアツーピア信号を送信すべきか、ピアツーピア信号を受信すべきか、またはいずれもしないかに関する決定は、要求信号、応答信号およびプロトコル情報、たとえば、優先順位指定情報および／またはオーバーライド情報に応じる。
【００４８】
この例では、接続されたペアの単一の方向に対応する要求に割り当てられたリソースごとに、対応する要求応答リソースがある。たとえば、要求リソース７４８に対応して、応答リソース７５０があり、矢印７５６によってそのリンケージが示される。同様に、要求リソース７５２に対応して、応答リソース７５４があり、矢印７５８によってそのリンケージが示される。
【００４９】
いくつかの実施形態では、トラフィック送信スロットのためにピアツーピアワイヤレス端末の接続されたペアに対応する、要求リソースと要求応答リソースとを含むエアリンクリソースのセットは、異なる少なくともいくつかの周波数、たとえばトーンを含む。
【００５０】
ピアツーピアワイヤレス端末の異なる接続されたペア、たとえば、ＷＴ  ＣおよびＷＴ  Ｄは、要求と要求応答リソースとの異なるセット、たとえば、スロットに対応するタイミング周波数構造中のＯＦＤＭトーンシンボルの異なるセットを指定されることに留意されたい。様々な実施形態では、接続されたペアに関連するコネクション識別情報、たとえば、１つまたは複数のコネクション識別子は、ペアに対応する要求および／または要求応答リソースのセット、および／または、どの要求リソースが、特定のスロットに対応する送信要求を送信するために、ペアのうちのどちらのデバイスによって使用されるかを決定するために使用される。
【００５１】
トラフィック間隔７１３中に、ピアツーピアトラフィック間隔エアリンクリソース７４６、たとえば、ピアツーピアトラフィックセグメントがある。
【００５２】
図８は、様々な実施形態によるピアツーピアトラフィック間隔要求および応答シグナリングのスキームを示す図８００である。このスキームでは、既存のコネクションを有するピアツーピアワイヤレス端末のペアは、第１の要求時間間隔から第１の要求シンボルリソース、第２の要求時間間隔から第２の要求シンボルリソース、および要求応答時間間隔から応答シンボルリソースを指定され、指定されたリソースのセットは、ピアツーピアトラフィック間隔エアリンクリソース、たとえば、ピアツーピアトラフィックセグメントに対応する。図８００は、水平軸８０４上の時間に対する垂直軸８０２上の周波数を示す。図８００は、第１の要求時間間隔８０６と、後続の第２の要求時間間隔８０８と、後続の要求応答時間間隔８１０と、後続のトラフィック間隔８１２とを示す。
【００５３】
第１の要求時間間隔８０６中には、複数の要求シンボル（要求シンボル１  ８１４、要求シンボル２  ８１６、要求シンボル３  ８１８、要求シンボル４  ８２０）がある。第２の要求時間間隔８０８中には、複数の要求シンボル（要求シンボル５  ８２２、要求シンボル６  ８２４、要求シンボル７  ８２６、要求シンボル８  ８２８）がある。応答時間間隔８１０中には、複数の要求応答シンボル（要求応答シンボル１  ８３０、要求応答シンボル２  ８３２、要求応答シンボル３  ８３４、要求応答シンボル４  ８３６）がある。リソース、たとえば、各時間間隔からの１つのＯＦＤＭトーンシンボルのセットは、既存のコネクションを有するピアツーピアワイヤレス端末の特定のペアに関連する。たとえば、第１の要求時間間隔８０６の要求シンボル２  ８１６のＯＦＤＭトーンシンボル８４０、第２の要求時間間隔８０８の要求シンボル６  ８２４のＯＦＤＭトーンシンボル８４２、および要求応答時間間隔８１０の要求応答シンボル２  ８３２のＯＦＤＭトーンシンボル８４４は、コネクションを有するピアツーピアワイヤレス端末ペア（ＷＴ  ＡおよびＷＴ  Ｂ）のためのセットを形成する。
【００５４】
セットの第１の要求リソース、ＯＦＤＭトーンシンボル８４０は、ＷＴ  Ａが、ピアツーピアトラフィック間隔エアリンクリソース８３８を使用してトラフィックを送信することを要求するトラフィック送信要求をＷＴ  Ｂに送信するために確保される。セットの第２の要求リソース、ＯＦＤＭトーンシンボル８４２は、この例示的な実施形態では、（ｉ）ＷＴ  ＡからＷＴ  Ｂへのリピート要求信号、または（ｉｉ）ＷＴ  ＢからＷＴ  Ａへの初期トラフィック送信要求のいずれかを送信するために使用するように指定され、（ｉｉ）の送信要求は、ＷＴ  Ｂがピアツーピアトラフィック間隔エアリンクリソース８３８を使用してトラフィック信号をＷＴ  Ａに送信することを許可されることを要求するＷＴ  Ｂからの要求である。セットの要求応答信号リソース、ＯＦＤＭトーンシンボル８４４は、受信機応答信号、たとえば、ＲＸエコー信号を搬送するために使用するように指定され、その信号は、優先順位を有する受信された要求信号に応答するものである。
【００５５】
図８の例では、ＯＦＤＭトーンシンボル８４０は、ピアツーピアトラフィック間隔エアリンクリソース８３８を使用して、ＷＴ  Ａがトラフィック信号をＷＴ  Ｂに送信することを許可するようにＷＴ  Ｂに要求する、ＷＴ  ＡからＷＴ  Ｂへのトラフィック送信要求信号を搬送する。第１の要求リソース、ＯＦＤＭトーンシンボル８４０が利用されたので、対応する第２の要求リソース、ＯＦＤＭトーンシンボル８４２も、リピートトラフィック送信要求を表す信号を送信するためにＷＴ  Ａによって使用されることになる。リピート要求を表す信号はまた、追加情報を搬送する。要求応答リソース、たとえば、ＯＦＤＭトーンシンボル８４４は、この例では、ワイヤレス端末Ｂからワイヤレス端末Ａに受信機エコー（ＲＸエコー）信号を搬送し、ＲＸエコー信号は、ＷＴ  Ｂの観点から、ＷＴ  Ａが、トラフィック信号をＷＴ  Ｂに送信するためにピアツーピアトラフィック間隔エアリンクリソース８３８を使用できるようにすることを搬送する。代わりに、ＷＴ  ＢがＷＴ  Ａに送信させないことを決定した場合、本実施形態では、ＷＴ  Ｂは、応答リソース８４４上でＲＸエコー信号を送信せず、この応答リソースが使用できないようにするだろう。
【００５６】
いくつかの実施形態では、トラフィック送信スロットのためにピアツーピアワイヤレス端末の接続されたペアに対応する、要求リソースと要求応答リソースとを含むエアリンクリソースのセットは、異なる少なくともいくつかの周波数、たとえばトーンを含む。
【００５７】
ピアツーピアワイヤレス端末の異なる接続されたペア、たとえば、ＷＴ  ＣおよびＷＴ  Ｄは、要求と要求応答リソースとの異なるセット、たとえば、スロットに対応するタイミング周波数構造中のＯＦＤＭトーンシンボルの異なるセットを指定されることに留意されたい。様々な実施形態では、接続されたペアに関連するコネクション識別情報、たとえば、１つまたは複数のコネクション識別子は、ペアに対応する要求および／または要求応答リソースのセット、および／または、どの要求リソースが、特定のスロットに対応する送信要求を送信するために、ペアのうちのどちらのデバイスによって使用されるかを決定するために使用される。
【００５８】
図９は、異なるシグナリングの可能性のための、図８に関して説明したピアツーピアトラフィック間隔要求および応答シグナリングのスキームを示す図９００である。このスキームでは、既存のコネクションを有するピアツーピアワイヤレス端末のペアは、第１の要求時間間隔から第１の要求シンボルリソース、第２の要求時間間隔から第２の要求シンボルリソース、および要求応答時間間隔から応答シンボルリソースを指定され、指定されたリソースのセットは、ピアツーピアトラフィック間隔エアリンクリソース、たとえば、ピアツーピアトラフィックセグメントに対応する。図９００は、水平軸９０４上の時間に対する垂直軸９０２上の周波数を示す。図９００は、第１の要求時間間隔９０６と、後続の第２の要求時間間隔９０８と、後続の要求応答時間間隔９１０と、後続のトラフィック間隔９１２とを示す。
【００５９】
第１の要求時間間隔９０６中には、複数の要求シンボル（要求シンボル１  ９１４、要求シンボル２  ９１６、要求シンボル３  ９１８、要求シンボル４  ９２０）がある。第２の要求時間間隔９０８中には、複数の要求シンボル（要求シンボル５  ９２２、要求シンボル６  ９２４、要求シンボル７  ９２６、要求シンボル８  ９２８）がある。応答時間間隔９１０中には、複数の要求応答シンボル（要求応答シンボル１  ９３０、要求応答シンボル２  ９３２、要求応答シンボル３  ９３４、要求応答シンボル４  ９３６）がある。リソース、たとえば、各時間間隔からの１つのＯＦＤＭトーンシンボルのセットは、既存のコネクションを有するピアツーピアワイヤレス端末の特定のペアに関連する。たとえば、第１の要求時間間隔９０６の要求シンボル２  ９１６のＯＦＤＭトーンシンボル９４０、第２の要求時間間隔９０８の要求シンボル６  ９４２のＯＦＤＭトーンシンボル９４２、および要求応答時間間隔９１０の要求応答シンボル２  ９３２のＯＦＤＭトーンシンボル９４４は、コネクションを有するピアツーピアワイヤレス端末ペア（ＷＴ  ＡおよびＷＴ  Ｂ）のためのセットを形成する。
【００６０】
セットの第１の要求リソース、ＯＦＤＭトーンシンボル９４０は、ＷＴ  Ａが、ピアツーピアトラフィック間隔エアリンクリソース９３８を使用してトラフィックを送信することを要求するトラフィック送信要求をＷＴ  Ｂに送信するために確保される。セットの第２の要求リソース、ＯＦＤＭトーンシンボル９４２は、この例示的な実施形態では、（ｉ）ＷＴ  ＡからＷＴ  Ｂへのリピート要求信号、または（ｉｉ）ＷＴ  ＢからＷＴ  Ａへの初期トラフィック送信要求のいずれかを送信するために使用するように指定され、（ｉｉ）の送信要求は、ＷＴ  Ｂがピアツーピアトラフィック間隔エアリンクリソース９３８を使用してトラフィック信号をＷＴ  Ａに送信することを許可されることを要求するＷＴ  Ｂからの要求である。セットの要求応答信号リソース、ＯＦＤＭトーンシンボル９４４は、受信機応答信号、たとえば、ＲＸエコー信号を搬送するために使用するように指定され、その信号は、優先順位を有する受信された要求信号に応答するものである。
【００６１】
図９の例では、ＯＦＤＭトーンシンボル９４０は、トラフィック送信要求信号を搬送せず、使用されない。第１の要求リソース、ＯＦＤＭトーンシンボル９４０は利用されなかったので、次いで、対応する第２の要求リソース、ＯＦＤＭトーンシンボル９４２は、初期トラフィック送信要求をＷＴ  Ａに送信するためにＷＴ  Ｂが使用するのに利用可能であり、その要求は、ピアツーピアトラフィック間隔エアリンクリソース９３８を使用して、ＷＴ  ＢからＷＴ  Ａへのピアツーピアトラフィック信号を送信する許可をＷＴ  Ａに要求する。この例では、ＷＴ  Ｂは、要求を送信したくて、ＯＦＤＭトーンシンボル９４２中で送信トラフィック要求信号を送信することを決定する。要求応答リソース、たとえば、ＯＦＤＭトーンシンボル９４４は、この例では、ワイヤレス端末Ａからワイヤレス端末Ｂに受信機エコー（ＲＸエコー）信号を搬送し、ＲＸエコー信号は、ＷＴ  Ａの観点から、ＷＴ  Ｂが、トラフィック信号をＷＴ  Ａに送信するためにピアツーピアトラフィック間隔エアリンクリソース９３８を使用できるようにすることを搬送する。代わりに、ＷＴ  ＡがＷＴ  Ｂに送信させないことを決定した場合、本実施形態では、ＷＴ  Ａは、応答リソース９４４上でＲＸエコー信号を送信せず、この応答リソースが使用できないようにするだろう。
【００６２】
図８および図９で示すように、本実施形態では、要求応答リソースが共有される、たとえば、単一のＯＦＤＭトーンシンボルがいずれかのシグナリング方向にもＲＸエコー信号を搬送することができるので、オーバーヘッドシグナリングのためのタイミング／周波数構造中で確保されるエアリンクリソースの量が、図７の実施形態から減少していることがわかる。さらに、この実施形態は、第２の要求リソースが異なる時間に別様に利用されるという追加の利点を有するので、したがって、追加情報が、要求が第１の要求時間間隔中に送信される状況で搬送できるようになる。
【００６３】
図８および図９は、循環タイミング周波数構造中の２つのトラフィックスロット、たとえば、２つの連続したスロットを表す。代替的に、図８および図９は、たとえば、時間間隔（８０６、８０８、８１０、８１２）がそれぞれ、時間間隔（９０６、９０８、９１０、９１２）と同じであり、シンボル（８１４、８１６、８１８、８２０、８２２、８２４、８２６、８２８、８３０、８３２、８３４、８３６）のエアリンクリソースがそれぞれ、シンボル（９１４、９１６、９１８、９２０、９２２、９２４、９２６、９２８、９３０、９３２、９３４、９３６）のエアリンクリソースと同じであり、リソース（８４０、８４２、８４４、８３８）がそれぞれ、リソース（９４０、９４２、９４４、９３８）と同じであるが、図８および図９に示すこのリソース中で搬送される信号が異なる構造中の同じトラフィックスロットを表すことができる。
【００６４】
図１０は、様々な実施形態によるピアツーピアトラフィック間隔要求および応答シグナリングのスキームを示す図１０００である。このスキームでは、既存のコネクションを有するピアツーピアワイヤレス端末のペアは、第１の要求時間間隔から第１の要求シンボルリソース、第２の要求時間間隔から第２の要求シンボルリソース、および要求応答時間間隔から応答シンボルリソースを指定され、指定されたリソースのセットは、ピアツーピアトラフィック間隔エアリンクリソース、たとえば、ピアツーピアトラフィックセグメントに対応する。図１０００は、水平軸１００４上の時間に対する垂直軸１００２上の周波数を示す。図１０００は、第１の要求時間間隔１００６と、後続の第２の要求時間間隔１００８と、後続の要求応答時間間隔１０１０と、後続のトラフィック間隔１０１２とを示す。
【００６５】
第１の要求時間間隔１００６中には、複数の要求シンボル（要求シンボル１  １０１４、要求シンボル２  １０１６、要求シンボル３  １０１８、要求シンボル４  １０２０）がある。第２の要求時間間隔１００８中には、複数の要求シンボル（要求シンボル５  １０２２、要求シンボル６  １０２４、要求シンボル７  １０２６、要求シンボル８  １０２８）がある。応答時間間隔１０１０中には、複数の要求応答シンボル（要求応答シンボル１  １０３０、要求応答シンボル２  １０３２、要求応答シンボル３  １０３４、要求応答シンボル４  １０３６）がある。リソース、たとえば、各時間間隔からの１つのＯＦＤＭトーンシンボルのセットは、既存のコネクションを有するピアツーピアワイヤレス端末の特定のペアに関連する。たとえば、第１の要求時間間隔１００６の要求シンボル２  １０１６のＯＦＤＭトーンシンボル１０４０、第２の要求時間間隔１００８の要求シンボル６  １０２４のＯＦＤＭトーンシンボル１０４２、および要求応答時間間隔１０１０の要求応答シンボル１０３２のＯＦＤＭトーンシンボル１０４４は、コネクションを有するピアツーピアワイヤレス端末ペア（ＷＴ  ＡおよびＷＴ  Ｂ）のためのセットを形成する。
【００６６】
セットの第１の要求リソース、ＯＦＤＭトーンシンボル１０４０は、ＷＴ  Ａが、ピアツーピアトラフィック間隔エアリンクリソース１０３８を使用してトラフィックを送信することを要求するトラフィック送信要求をＷＴ  Ｂに送信するために確保される。セットの第２の要求リソース、ＯＦＤＭトーンシンボル１０４２は、この例示的な実施形態では、ＷＴ  Ｂが、ピアツーピアトラフィック間隔エアリンクリソース１０３８を使用してトラフィックを送信することを要求するトラフィック送信要求をＷＴ  Ａに送信するために確保される。セットの要求応答信号リソース、ＯＦＤＭトーンシンボル１０４４は、受信機応答信号、たとえば、ＲＸエコー信号を搬送するために使用するように指定され、その信号は、優先順位を有する受信された要求信号に応答するものである。
【００６７】
図１０の例では、ＯＦＤＭトーンシンボル１０４０は、ピアツーピアトラフィック間隔エアリンクリソース１０３８を使用して、ＷＴ  Ａがトラフィック信号をＷＴ  Ｂに送信することを許可するようにＷＴ  Ｂに要求する、ＷＴ  ＡからＷＴ  Ｂへのトラフィック送信要求信号を搬送する。ＷＴ  Ｂは、ＯＦＤＭトーンシンボル１０４２中で送信要求を送信しない。要求応答リソース、たとえば、ＯＦＤＭトーンシンボル１０４４は、この例では、ワイヤレス端末Ｂからワイヤレス端末Ａに受信機エコー（ＲＸエコー）信号を搬送し、ＲＸエコー信号は、ＷＴ  Ｂの観点から、ＷＴ  Ａが、トラフィック信号をＷＴ  Ｂに送信するためにピアツーピアトラフィック間隔エアリンクリソース１０３８を使用できるようにすることを搬送する。代わりに、ＷＴ  ＢがＷＴ  Ａに送信させないことを決定した場合、本実施形態では、ＷＴ  Ｂは、応答リソース１０４４上でＲＸエコー信号を送信せず、この応答リソースが使用できないようにするだろう。
【００６８】
図１１は、異なるシグナリングの可能性のための、図１０に関して説明したピアツーピアトラフィック間隔要求および応答シグナリングのスキームを示す図１１００である。このスキームでは、既存のコネクションを有するピアツーピアワイヤレス端末のペアは、第１の要求時間間隔から第１の要求シンボルリソース、第２の要求時間間隔から第２の要求シンボルリソース、および要求応答時間間隔から応答シンボルリソースを指定され、指定されたリソースのセットは、ピアツーピアトラフィック間隔エアリンクリソース、たとえば、ピアツーピアトラフィックセグメントに対応する。図１１００は、水平軸１１０４上の時間に対する垂直軸１１０２上の周波数を示す。図１１００は、第１の要求時間間隔１１０６と、後続の第２の要求時間間隔１１０８と、後続の要求応答時間間隔１１１０と、後続のトラフィック間隔１１１２とを示す。
【００６９】
第１の要求時間間隔１１０６中には、複数の要求シンボル（要求シンボル１  １１１４、要求シンボル２  １１１６、要求シンボル３  １１１８、要求シンボル４  １１２０）がある。第２の要求時間間隔１１０８中には、複数の要求シンボル（要求シンボル５  １１２２、要求シンボル６  １１２４、要求シンボル７  １１２６、要求シンボル８  １１２８）がある。応答時間間隔１１１０中には、複数の要求応答シンボル（要求応答シンボル１  １１３０、要求応答シンボル２  １１３２、要求応答シンボル３  １１３４、要求応答シンボル４  １１３６）がある。リソース、たとえば、各時間間隔からの１つのＯＦＤＭトーンシンボルのセットは、既存のコネクションを有するピアツーピアワイヤレス端末の特定のペアに関連する。たとえば、第１の要求時間間隔１１０６の要求シンボル２  １１１６のＯＦＤＭトーンシンボル１１４０、第２の要求時間間隔１１０８の要求シンボル６  １１２４のＯＦＤＭトーンシンボル１１４２、および要求応答時間間隔１１１０の要求応答シンボル１１３２のＯＦＤＭトーンシンボル１１４４は、コネクションを有するピアツーピアワイヤレス端末ペア（ＷＴ  ＡおよびＷＴ  Ｂ）のためのセットを形成する。
【００７０】
セットの第１の要求リソース、ＯＦＤＭトーンシンボル１１４０は、ＷＴ  Ａが、ピアツーピアトラフィック間隔エアリンクリソース１１３８を使用してトラフィックを送信することを要求するトラフィック送信要求をＷＴ  Ｂに送信するために確保される。セットの第２の要求リソース、ＯＦＤＭトーンシンボル１１４２は、この例示的な実施形態では、ＷＴ  Ｂが、ピアツーピアトラフィック間隔エアリンクリソース１１３８を使用してトラフィックを送信することを要求するトラフィック送信要求をＷＴ  Ａに送信するために確保される。セットの要求応答信号リソース、ＯＦＤＭトーンシンボル１１４４は、受信機応答信号、たとえば、ＲＸエコー信号を搬送するために使用するように指定され、その信号は、優先順位を有する受信された要求信号に応答するものである。
【００７１】
図１１の例では、ＷＴ  Ａが、ピアツーピアトラフィック間隔エアリンクリソース１１３８に送信することを要求していないので、ＯＦＤＭトーンシンボル１１４０は未使用になっている。ＷＴ  Ｂは、ＯＦＤＭトーンシンボル１１４２中で送信要求を送信し、その要求はＷＴ  Ａに向けられ、ＷＴ  Ｂが、ピアツーピア間隔エアリンクリソース１１３８を使用してピアツーピアトラフィック信号をＷＴ  Ａに送信する許可をＷＴ  Ａに要求する。要求応答リソース、たとえば、ＯＦＤＭトーンシンボル１１４４は、この例では、ワイヤレス端末Ａからワイヤレス端末Ｂに受信機エコー（ＲＸエコー）信号を搬送し、ＲＸエコー信号は、ＷＴ  Ａの観点から、ＷＴ  Ｂが、トラフィック信号をＷＴ  Ａに送信するためにピアツーピアトラフィック間隔エアリンクリソース１１３８を使用できるようにすることを搬送する。代わりに、ＷＴ  ＡがＷＴ  Ｂに送信させないことを決定した場合、本実施形態では、ＷＴ  Ａは、応答リソース１１４４上でＲＸエコー信号を送信せず、この応答リソースが使用できないようにするだろう。
【００７２】
図１２は、異なるシグナリングの可能性のための、図１０および図１１に関して説明したピアツーピアトラフィック間隔要求および応答シグナリングのスキームを示す図１２００である。このスキームでは、既存のコネクションを有するピアツーピアワイヤレス端末のペアは、第１の要求時間間隔から第１の要求シンボルリソース、第２の要求時間間隔から第２の要求シンボルリソース、および要求応答時間間隔から応答シンボルリソースを指定され、指定されたリソースのセットは、ピアツーピアトラフィック間隔エアリンクリソース、たとえば、ピアツーピアトラフィックセグメントに対応する。図１２００は、水平軸１２０４上の時間に対する垂直軸１２０２上の周波数を示す。図１２００は、第１の要求時間間隔１２０６と、後続の第２の要求時間間隔１２０８と、後続の要求応答時間間隔１２１０と、後続のトラフィック間隔１２１２とを示す。
【００７３】
第１の要求時間間隔１２０６中には、複数の要求シンボル（要求シンボル１  １２１４、要求シンボル２  １２１６、要求シンボル３  １２１８、要求シンボル４  １２２０）がある。第２の要求時間間隔１２０８中には、複数の要求シンボル（要求シンボル５  １２２２、要求シンボル６  １２２４、要求シンボル７  １２２６、要求シンボル８  １２２８）がある。応答時間間隔１２１０中には、複数の要求応答シンボル（要求応答シンボル１  １２３０、要求応答シンボル２  １２３２、要求応答シンボル３  １２３４、要求応答シンボル４  １２３６）がある。リソース、たとえば、各時間間隔からの１つのＯＦＤＭトーンシンボルのセットは、既存のコネクションを有するピアツーピアワイヤレス端末の特定のペアに関連する。たとえば、第１の要求時間間隔１２０６の要求シンボル２  １２１６のＯＦＤＭトーンシンボル１２４０、第２の要求時間間隔１２０８の要求シンボル６  １２２４のＯＦＤＭトーンシンボル１２４２、および要求応答時間間隔１２１０の要求応答シンボル１２３２のＯＦＤＭトーンシンボル１２４４は、コネクションを有するピアツーピアワイヤレス端末ペア（ＷＴ  ＡおよびＷＴ  Ｂ）のためのセットを形成する。
【００７４】
セットの第１の要求リソース、ＯＦＤＭトーンシンボル１２４０は、ＷＴ  Ａが、ピアツーピアトラフィック間隔エアリンクリソース１２３８を使用してトラフィックを送信することを要求するトラフィック送信要求をＷＴ  Ｂに送信するために確保される。セットの第２の要求リソース、ＯＦＤＭトーンシンボル１２４２は、この例示的な実施形態では、ＷＴ  Ｂが、ピアツーピアトラフィック間隔エアリンクリソース１２３８を使用してトラフィックを送信することを要求するトラフィック送信要求をＷＴ  Ａに送信するために確保される。この例では、ＷＴ  Ｂは、ＷＴ  Ａからの要求をオーバーライドすることが可能である。いくつかの他の実施形態では、ＷＴ  Ｂは、ＷＴ  Ａからの要求をオーバーライドすることができない。いくつかのそのような実施形態では、ＷＴ  Ａがその要求リソース上で送信した場合、ＷＴ  Ｂはその要求リソース上で送信しないように制限される。
【００７５】
セットの要求応答信号リソース、ＯＦＤＭトーンシンボル１２４４は、受信機応答信号、たとえば、ＲＸエコー信号を搬送するために使用するように指定され、その信号は、優先順位を有する受信された要求信号に応答するものである。
【００７６】
図１２の例では、ＯＦＤＭトーンシンボル１２４０は、ピアツーピアトラフィック間隔エアリンクリソース１２３８を使用して、ＷＴ  Ａがトラフィック信号をＷＴ  Ｂに送信することを許可するようにＷＴ  Ｂに要求する、ＷＴ  ＡからＷＴ  Ｂへのトラフィック送信要求信号を搬送する。ただし、ＷＴ  Ｂはまた、ピアツーピアトラフィック間隔エアリンクリソース１２３８を使用して送信したくて、ＷＴ  Ｂの要求がＷＴ  Ａの要求をオーバーライドすることができる。ＷＴ  Ｂは、エアリンクリソース１２３８を使用して、トラフィック信号をＷＴ  Ａに送信することを要求する送信要求をＯＦＤＭトーンシンボル１２４２中で送信する。要求応答リソース、たとえば、ＯＦＤＭトーンシンボル１２４４は、この例では、ワイヤレス端末Ａからワイヤレス端末Ｂに受信機エコー（ＲＸエコー）信号を搬送し、ＲＸエコー信号は、ＷＴ  Ａの観点から、ＷＴ  Ｂが、トラフィック信号をＷＴ  Ａに送信するためにピアツーピアトラフィック間隔エアリンクリソース１２３８を使用できるようにすることを搬送する。代わりに、ＷＴ  ＡがＷＴ  Ｂに送信させないことを決定した場合、本実施形態では、ＷＴ  Ａは、応答リソース１２４４上でＲＸエコー信号を送信せず、この応答リソースが使用できないようにするだろう。
【００７７】
図１３は、様々な実施形態による第１のピアツーピア通信デバイスを動作させる例示的な方法のフローチャート１３００である。第１のピアツーピア通信デバイスは、たとえば、第２のピアツーピア通信デバイスとの既存のコネクションを有するピアツーピア通信デバイスである。第１および第２のピアツーピア通信デバイスは、様々な実施形態では、複数のトラフィックスロットを含む循環ピアツーピアタイミング構造を使用している。この例示的な実施形態では、トラフィックスロットのデータセグメントおよび第１のピアツーピアデバイスと第２のピアツーピアデバイスとの間のコネクションに対応して、第１のユニット要求リソースと第２のユニット要求リソースとがあり、その２つのうちの一方は第１のデバイスから第２のデバイスに送信要求を搬送するように指定され、他方は第２のデバイスから第１のデバイスに送信要求を搬送するように指定され、その要求はトラフィックスロットのデータセグメント中で送信したいという要求である。
【００７８】
例示的な方法の動作は、開始ステップ１３０２で開始し、ステップ１３０４に進む。ステップ１３０４において、第１のデバイスは、第２のピアツーピアデバイスとのコネクションと、検討中のスロットとに対応して、第１のユニット要求リソースまたは第２のユニット要求リソースが割り当てられているかどうかを決定する。第１のデバイスに第１のユニット要求リソースが割り当てられている場合、動作はステップ１３０４からステップ１３０６に進む。しかしながら、第１のデバイスに第２のユニット要求リソースが割り当てられている場合、動作はステップ１３０４からステップ１３２０に進む。
【００７９】
ステップ１３０６に戻ると、ステップ１３０６において、第１のデバイスは、トラフィックスロット中でデータを送信したいか否かを決定する。第１のデバイスがデータを送信したい場合、たとえば、第１のデバイスが、第２のデバイスに対応するそのトラフィックデータ送信待ち行列中にバックログを有する場合、動作はステップ１３０６からステップ１３０８に進む。さもなければ、動作はステップ１３０６からステップ１３１４に進む。
【００８０】
ステップ１３０６において、第１のデバイスは、割り当てられた第１のユニット要求リソース中で送信要求（ＴＸ要求）を第２のデバイスに送信する。次いで、ステップ１３１０において、第１のデバイスは第２のユニット要求リソースを無視する。動作はステップ１３１０からステップ１３１２に進む。ステップ１３１２において、第１のデバイスは、トラフィックスロットのデータセグメント中でデータを第２のデバイスに送信する。動作はステップ１３１２から接続ノードＡ１３３２に進む。
【００８１】
ステップ１３１４に戻ると、ステップ１３１４において、第１のデバイスは、第２のデバイスからのＴＸ要求について第２のユニット要求リソースを監視する。動作はステップ１３１４からステップ１３１６に進む。ステップ１３１６において、第１のデバイスは、ステップ１３１４の監視中に第２のデバイスから要求が受信されたかどうかを決定する。要求が受信された場合、動作はステップ１３１６からステップ１３１８に進む。さもなければ、動作はステップ１３１６から接続ノードＡ１３３２に進む。ステップ１３１８において、第１のデバイスは、第２のデバイスからトラフィックスロットのデータセグメント中でデータを受信する。動作はステップ１３１８から接続ノードＡ１３３２に進む。
【００８２】
ステップ１３２０に戻ると、ステップ１３２０において、第１のデバイスは、第２のデバイスからの送信ＴＸ要求について第１のユニット要求リソースを監視する。動作はステップ１３２０からステップ１３２２に進む。ステップ１３２２において、第１のデバイスは、ステップ１３２０の監視中に第２のデバイスから要求が受信されたか否かを決定する。第２のデバイスから要求が受信された場合、動作はステップ１３２２からステップ１３３０に進む。さもなければ、動作はステップ１３２２からステップ１３２４に進む。
【００８３】
ステップ１３２４に戻ると、ステップ１３２４において、第１のデバイスは、トラフィックスロット中でデータトラフィック信号を第２のデバイスに送信したいか否かを決定する。第１のデバイスが送信したい場合、動作はステップ１３２４からステップ１３２６に進む。さもなければ、動作はステップ１３２４から接続ノードＡ１３３２に進む。
【００８４】
ステップ１３２６に戻ると、ステップ１３２６において、第１のデバイスは、割り当てられた第２のユニット要求リソース中でＴＸ要求信号を第２のデバイスに送信する。次いで、ステップ１３２８において、第１のデバイスは、トラフィックスロットのデータセグメント中でデータを第２のデバイスに送信する。動作はステップ１３２８から接続ノードＡ１３３２に進む。
【００８５】
ステップ１３３０に戻ると、ステップ１３３０において、第１のデバイスは、第２のデバイスからトラフィックスロットのデータセグメント中でデータを受信する。動作はステップ１３３０から接続ノードＡ１３３２に進む。動作は、検討すべき次のスロットのために接続ノードＡ１３３２からステップ１３０４に進む。
【００８６】
この例示的な実施形態では、第１のユニット要求リソースは第２のユニット要求リソースに時間的に先行する。特定のスロットについて、第１のユニット要求リソースを割り当てられたデバイスは、トラフィックスロットのデータセグメントを使用する権利を主張する第１の機会を有し、第２のユニット要求は、許可された第１のユニット要求をオーバーライドすることができない。
【００８７】
いくつかの実施形態では、追加の要求応答シグナリングがフロー中で利用され、たとえば、ＴＸ要求に応答して肯定の確認応答を送信するためにＲＸエコー信号が利用される。いくつかのそのような実施形態では、ステップ１３１２より前に、対応する応答信号リソース上で第２の通信デバイスからＲＸエコー信号が受信されない場合、ステップ１３１２を実行しない。同様に、ステップ１３２８より前に、対応する応答信号リソース上で第２の通信デバイスからＲＸエコー信号が受信されない場合、ステップ１３２８を実行しない。いくつかの実施形態では、ステップ１３１８より前に、第１のデバイスは、応答信号リソースを使用してＲＸエコー信号を第２のデバイスに送信する。同様に、いくつかの実施形態では、ステップ１３３０より前に、第１のデバイスは、応答信号リソースを使用してＲＸエコー信号を第２のデバイスに送信する。
【００８８】
例示的な一実施形態では、第１のユニット要求リソースは第１のＯＦＤＭシンボル中のＯＦＤＭトーンシンボルであり、第２のユニット要求リソースは第２のＯＦＤＭシンボル中のＯＦＤＭトーンシンボルであり、第１のＯＦＤＭトーンシンボルは第２のＯＦＤＭトーンシンボルに先行し、第１のＯＦＤＭトーンシンボルおよび第２のＯＦＤＭトーンシンボルはデータセグメントに先行する。いくつかの実施形態では、応答信号リソースは、第１および第２のＯＦＤＭシンボルの後であるが、データセグメントより前に発生する第３のＯＦＤＭシンボルのＯＦＤＭトーンシンボルである。
【００８９】
図１４は、様々な実施形態による第１のピアツーピア通信デバイスを動作させる例示的な方法のフローチャート１４００である。第１のピアツーピア通信デバイスは、たとえば、第２のピアツーピア通信デバイスとの既存のコネクションを有するピアツーピア通信デバイスである。第１および第２のピアツーピア通信デバイスは、様々な実施形態では、複数のトラフィックスロットを含む循環ピアツーピアタイミング構造を使用している。この例示的な実施形態では、トラフィックスロットのデータセグメントおよび第１のピアツーピアデバイスと第２のピアツーピアデバイスとの間のコネクションに対応して、第１のユニット要求リソースと第２のユニット要求リソースとがあり、その２つのうちの一方は第１のデバイスから第２のデバイスに送信要求を搬送するように指定され、他方は第２のデバイスから第１のデバイスに送信要求を搬送するように指定され、その要求はトラフィックスロットのデータセグメント中で送信したいという要求である。
【００９０】
例示的な方法の動作は、開始ステップ１４０２で開始し、ステップ１４０４に進む。ステップ１４０４において、第１のデバイスは、第２のピアツーピアデバイスとのコネクションと、検討中のスロットとに対応して、第１のユニット要求リソースまたは第２のユニット要求リソースが割り当てられているかどうかを決定する。第１のデバイスに第１のユニット要求リソースが割り当てられている場合、動作はステップ１４０４からステップ１４０６に進む。しかしながら、第１のデバイスに第２のユニット要求リソースが割り当てられている場合、動作はステップ１４０４からステップ１４０８に進む。
【００９１】
ステップ１４０６に戻ると、ステップ１４０６において、第１のデバイスは、トラフィックスロット中でデータを送信したいか否かを決定する。第１のデバイスがデータを送信したい場合、たとえば、第１のデバイスが、第２のデバイスに対応するそのトラフィックデータ送信待ち行列中にバックログを有する場合、動作はステップ１４０６からステップ１４１０に進む。さもなければ、動作はステップ１４０６からステップ１４２６に進む。
【００９２】
ステップ１４１０において、第１のデバイスは、割り当てられた第１のユニット要求リソース中で送信要求（ＴＸ要求）を第２のデバイスに送信する。次いで、ステップ１４１２において、第１のデバイスは、第２のデバイスからのＴＸ要求について第２の要求リソースを監視する。動作はステップ１４１２からステップ１４１４に進む。ステップ１４１４において、第１のデバイスは、ステップ１４１２の監視中に第２のデバイスからのＴＸ要求を受信したか否かを決定する。第１のデバイスが第２のデバイスからＴＸ要求を受信した場合、動作はステップ１４１４からステップ１４２２に進む。さもなければ、動作はステップ１４１４からステップ１４２０に進む。
【００９３】
ステップ１４２０において、第１のデバイスは、トラフィックスロットのデータセグメント中でデータを第２のデバイスに送信する。動作はステップ１４２０から接続ノードＡ１４２４に進む。
【００９４】
ステップ１４２２に戻ると、ステップ１４２２において、第１のデバイスは、第２のデバイスからトラフィックスロットのデータセグメント中でデータを受信する。動作はステップ１４２２から接続ノードＡ１４２４に進む。
【００９５】
ステップ１４２６に戻ると、ステップ１４２６において、第１のデバイスは、第２のデバイスからの送信要求（ＴＸ要求）のために第２のユニット要求リソースを監視する。動作はステップ１４２６からステップ１４２８に進む。ステップ１４２８において、ステップ１４２６の要求が受信された場合、動作はステップ１４２８からステップ１４２２に進む。さもなければ、動作はステップ１４２８から接続ノードＡ１４２４に進む。
【００９６】
ステップ１４０８に戻ると、ステップ１４０８において、第１のデバイスは、第２のデバイスからの送信ＴＸ要求について第１のユニット要求リソースを監視する。動作はステップ１４０８からステップ１４３０に進む。ステップ１４３０において、第１のデバイスは、ステップ１４０８の監視中に第２のデバイスから要求が受信されたか否かを決定する。第２のデバイスから要求が受信された場合、動作はステップ１４３０からステップ１４３４に進む。さもなければ、動作はステップ１４３０からステップ１４３２に進む。
【００９７】
ステップ１４３２に戻ると、ステップ１４３２において、第１のデバイスは、トラフィックスロット中でデータトラフィック信号を第２のデバイスに送信したいか否かを決定する。第１のデバイスが送信したくない場合、動作はステップ１４３２から接続ノードＡ１４２４に進む。さもなければ、動作はステップ１４３２からステップ１４３６に進む。ステップ１４３６において、第１のデバイスは、割り当てられた第２のユニット要求リソース中でＴＸ要求を第２のデバイスに送信する。次いで、ステップ１４３８において、第１のデバイスはトラフィックスロットのデータセグメント中でデータを第２のデバイスに送信する。動作はステップ１４３８から接続ノードＡ１４２４に進む。
【００９８】
ステップ１４３４に戻ると、ステップ１４３４において、第１のデバイスは、トラフィックスロット中でデータトラフィック信号を第２のデバイスに送信したいか否かを決定する。第１のデバイスが送信したくない場合、動作はステップ１４３４からステップ１４４０に進む。さもなければ、動作はステップ１４３４からステップ１４４２に進む。
【００９９】
ステップ１４４０に戻ると、ステップ１４４０において、第１のデバイスは、第２のデバイスからトラフィックスロットのデータセグメント中でデータを受信する。動作はステップ１４４０から接続ノードＡ１４２４に進む。
【０１００】
ステップ１４４２に戻ると、ステップ１４４２において、第１のデバイスは、第１のデバイスは、第２のデバイスから受信したＴＸ要求の優先順位をそれ自体の優先順位と比較する。動作はステップ１４４２からステップ１４４４に進む。ステップ１４４４において、ステップ１４４２の比較により、第１のワイヤレス端末が、第２のデバイスから受信したＴＸ要求に関連する優先順位を超える、トラフィックスロット中で第２のデバイスに送信したいトラフィックに関連する優先順位を有すると決定した場合、動作はステップ１４４４からステップ１４４６に進む。さもなければ、動作はステップ１４４４からステップ１４４０に進む。
【０１０１】
ステップ１４４６に戻ると、ステップ１４４６において、第１のワイヤレス端末は、割り当てられた第２のユニット要求リソース中でＴＸ要求を第２のデバイスに送信する。次いで、ステップ１４４８において、第２のデバイスは、トラフィックスロットのデータセグメント中でデータを第２のデバイスに送信する。動作はステップ１４４８から接続ノードＡ１４２４に進む。動作は、検討すべき次のスロットのために接続ノードＡ１４２４からステップ１４０４に進む。
【０１０２】
この例示的な実施形態では、第１のユニット要求リソースは第２のユニット要求リソースに時間的に先行する。特定のスロットについて、第２のユニット要求リソースを割り当てられたデバイスは、たとえば、優先順位情報に応じて、第１のユニット要求リソース中で伝達される要求をオーバーライドする機会を有する。
【０１０３】
いくつかの実施形態では、追加の要求応答シグナリングがフロー中で利用され、たとえば、ＴＸ要求に応答して肯定の確認応答を送信するためにＲＸエコー信号が利用される。いくつかのそのような実施形態では、第１のデバイスが、ステップ（１４２０、１４３８、１４４８）より前に、コネクションおよびトラフィックスロットのデータセグメントに関連する要求応答リソース中で要求応答信号を受信することができない場合、第１のデバイスはそれぞれステップ（１４２０、１４３８、１４４８）を実行しない。いくつかの実施形態では、ステップ（１４２２、１４４０）を実行するより前に、第１のデバイスは、コネクションおよびトラフィックスロットのデータセグメントに関連する要求応答リソースに、要求応答信号、たとえば、ＲＸエコー信号を送信する。
【０１０４】
例示的な一実施形態では、第１のユニット要求リソースは第１のＯＦＤＭシンボル中のＯＦＤＭトーンシンボルであり、第２のユニット要求リソースは第２のＯＦＤＭシンボル中のＯＦＤＭトーンシンボルであり、第１のＯＦＤＭトーンシンボルは第２のＯＦＤＭトーンシンボルに先行し、第１のＯＦＤＭトーンシンボルおよび第２のＯＦＤＭトーンシンボルはデータセグメントに先行する。いくつかの実施形態では、要求応答リソースは第３のＯＦＤＭシンボル中のＯＦＤＭトーンシンボルであり、第３のＯＦＤＭシンボルは、第１および第２のＯＦＤＭシンボルの後であるが、トラフィックスロットのデータセグメントに先行する。
【０１０５】
図１５は、第２の通信デバイスと通信するように第１の通信デバイスを動作させる例示的な方法のフローチャート１５００である。第１の通信デバイスおよび第２の通信デバイスは、たとえば、ピアツーピア通信デバイスである。第１および第２の通信デバイスは、複数の送信ユニットを有するシステム中の通信デバイスであり、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１０６】
例示的な方法の動作は、ステップ１５０２で開始し、ステップ１５０４に進む。１５０４において、第１の通信デバイスは、第２のデバイスに送信したいという要求を示す信号を第１の送信ユニット上で送信する。次いで、ステップ１５０６において、第１の通信デバイスは、前記第１の送信ユニットと前記第２の送信ユニットとの間で発生する時間ギャップ中に、送信動作モードと受信動作モードとの間で切り替わる。いくつかの実施形態では、受信動作モードで動作するとき、送信機能は使用不能になる。いくつかの実施形態では、受信動作モードから送信動作モードへの切替えは、受信機動作を使用不能にすることと、送信機動作を可能にすることとを含む。様々な実施形態では、時間ギャップは少なくとも１マイクロ秒である。いくつかの実施形態では、時間ギャップは少なくとも１シンボル長である。いくつかの実施形態では、第１の送信ユニットと第２の送信ユニットとの間の時間ギャップは固定であり、あらかじめ決定される。動作はステップ１５０６からステップ１５０８に進む。
【０１０７】
ステップ１５０８において、第１の通信デバイスは、第２のデバイスからの信号を検出するために第２の送信ユニットを監視する。次いで、ステップ１５１０において、第１の通信デバイスは、第２のデバイスからの信号が第２の送信ユニット上で検出されたか否かに応じて別様に進む。第２のデバイスからの信号が第２の送信ユニット上で検出されなかった場合、動作はステップ１５１０からステップ１５１２に進む。ステップ１５１２において、第１のデバイスは、第２の送信ユニットの後に発生するデータ送信間隔中でデータを第２のデバイスに送信する。
【０１０８】
ステップ１５１０に戻ると、第２のデバイスからの信号が第２の送信ユニット上で検出された場合、動作はステップ１５１０からステップ１５１４に進む。ステップ１５１４において、第１のデバイスは、前記第２の送信ユニットの後に発生する前記データ送信間隔中に、第２のデバイスからデータを受信する。
【０１０９】
動作はステップ１５１２またはステップ１５１４から終了ステップ１５５０に進む。いくつかの実施形態では、たとえば、後続のデータ送信間隔に関係する動作のフローチャートステップの繰り返しのために、動作はステップ１５１２またはステップ１５１４からステップ１５０４に戻る。
【０１１０】
いくつかの実施形態では、ステップ１５１２より前に、第２のデバイスからの送信要求応答信号、たとえば、ＲＸエコー信号を監視するステップがあり、応答信号が検出された場合、動作はステップ１５１２に進む。さもなければ、動作はステップ１５５０に進む。
【０１１１】
図１６は、第２の通信デバイスと通信するように第１の通信デバイスを動作させる例示的な方法のフローチャート１６００である。第１および第２の通信デバイスは、たとえば、ピアツーピアワイヤレス通信デバイスである。第１および第２の通信デバイスは、複数の送信ユニットを有するシステム中の通信デバイスであり、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１１２】
第１の送信ユニットと第２の送信ユニットとが第１のトラフィック間隔に対応し、複数の送信ユニットが第２のトラフィック間隔に対応する第３の送信ユニットと第４の送信ユニットとをさらに含み、前記第３の送信ユニットが第２のデバイスに対応し、前記第４の送信ユニットが第１のデバイスに対応し、前記第３の送信ユニットと前記第４の送信ユニットとが時間的に重複せず、第３の送信ユニットが第４の送信ユニットに先行する。
【０１１３】
例示的な方法の動作は、ステップ１６０２で開始し、ステップ１６０４に進む。ステップ１６０４において、第１の通信デバイスは、第２のデバイスに送信したいという要求を示す信号を第１の送信ユニット上で送信し、前記第１の送信ユニットは、第１のトラフィック間隔と前記第１の通信デバイスとに対応する。動作はステップ１６０４からステップ１６０６に進む。ステップ１６０６において、第１のデバイスは、第２のデバイスからの信号を検出するために第２の送信ユニットを監視し、前記第２の送信ユニットは、第１のトラフィック間隔と第２の通信デバイスとに対応する。動作はステップ１６０６からステップ１６０８に進む。
【０１１４】
ステップ１６０８において、第１の通信デバイスは、第２のデバイスからの信号を検出するために第３の送信ユニットを監視し、前記第３の送信ユニットは、第２のトラフィック間隔と第２の通信デバイスとに対応する。動作はステップ１６０８からステップ１６１０に進む。
【０１１５】
ステップ１６１０において、第１の通信デバイスは、第２のデバイスからの信号が第３の送信ユニット上で検出されたかどうかを検査する。第２のデバイスからの信号が第３の送信ユニット上で検出されなかった場合、動作はステップ１６１０からステップ１６１２に進む。ステップ１６１２において、第１のデバイスは、第２のデバイスに送信したいという要求を示す第２の信号を第４の送信ユニット上で送信し、前記第４の送信ユニットは、第２のトラフィック間隔と第１の通信デバイスとに対応する。動作はステップ１６１２からステップ１６１４に進む。ステップ１６１４において、第１のデバイスは、前記第３の送信ユニットの後に発生する前記第２のデータ送信間隔中でデータを第２のデバイスに送信する。動作はステップ１６１４から終了ステップ１６５０に進む。
【０１１６】
ステップ１６１０に戻ると、ステップ１６１０において、第２のデバイスからの信号が第３の送信ユニット上で検出された場合、動作はステップ１６１０からステップ１６１６と１６２０とのうちの１つに進む。ステップ１６１６および１６１８は、第１の通信デバイスが、第３の送信ユニット上で検出された第２の通信デバイスの要求をオーバーライドすることができない実施形態を表す。ステップ１６２０および１６２２は、第１のデバイスが、第３の送信ユニット上で検出された第２の通信デバイスの要求をオーバーライドすることができる代替実施形態を表す。
【０１１７】
ステップ１６１６に戻ると、ステップ１６１６において、第１のデバイスは第４の送信ユニット中で送信することを控える。次いで、ステップ１６１８において、第１のデバイスは第２のデータ送信時間間隔中に第２の通信デバイスからデータを受信する。動作はステップ１６１８から終了ステップ１６５０に進む。
【０１１８】
ステップ１６２０に戻ると、ステップ１６２０において、第１のデバイスは、第２のデバイスに送信したいという要求を示す第２の信号を第４の送信ユニット上で送信し、前記第４の送信ユニットは、前記第２のトラフィック間隔と前記第１のデバイスとに対応する。動作はステップ１６２０からステップ１６２２に進む。ステップ１６２２において、第１のデバイスは、前記第２のデータ送信間隔中でデータを第２のデバイスに送信する。動作はステップ１６２２から終了ステップ１６５０に進む。
【０１１９】
いくつかの実施形態では、動作は、たとえば、後続のデータ送信間隔のペアに関係する動作のフローチャートステップの繰り返しのためにステップ１６１４、１６１８または１６２２からステップ１６０４に戻る。
【０１２０】
いくつかの実施形態では、ステップ１６１４およびステップ１６２２より前に、第２の通信デバイスからの送信要求応答信号、たとえば、ＲＸエコー信号を監視するステップが実行され、第１のデバイスからの応答信号が検出された場合、動作はステップ１６１４またはステップ１６２２に進む。さもなければ、動作は終了ステップ１６５０に進む。いくつかの実施形態では、ステップ１６１８より前に、第１のデバイスは要求応答信号、たとえば、ＲＸエコー信号を第２の通信デバイスに送信する。
【０１２１】
図１７は、第１の通信デバイスと通信するように第２の通信デバイスを動作させる例示的な方法のフローチャート１７００である。第１および第２の通信デバイスは、たとえば、ピアツーピアワイヤレス通信デバイスである。第１の通信デバイスおよび第２の通信デバイスは、複数の送信ユニットを有するシステム中の通信デバイスであり、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１２２】
例示的な方法の動作は、ステップ１７０２で開始し、ステップ１７０４に進む。ステップ１７０４において、第２の通信デバイスは、第１のデバイスからの信号を検出するために第１の送信ユニットを監視する。次いで、ステップ１７０６において、第２の通信デバイスは、第２の通信デバイスが第１の通信デバイスからの信号を検出したか否かに応じて別様に進む。
【０１２３】
第２のデバイスが、第１の通信デバイスからの信号を第１の送信ユニット上で検出しなかった場合、動作はステップ１７０６からステップ１７０８に進む。しかしながら、第２の通信デバイスが、第１のデバイスからの信号を第１の送信ユニット上で検出した場合、動作はステップ１７０６からステップ１７１６に進む。
【０１２４】
ステップ１７０８に戻ると、ステップ１７０８において、第２の通信デバイスは第２の送信ユニット上で要求を送信し、前記要求はデータを送信したいという要求である。動作はステップ１７０８からステップ１７１０に進む。ステップ１７１０において、第２の通信デバイスは送信許容信号を監視する。ステップ１７１２において、第２の通信デバイスは許容信号が検出されたかどうかを検査し、許容信号が検出された場合、動作はステップ１７１２からステップ１７１４に進む。許容信号が検出されなかった場合、動作はステップ１７１２から終了ステップ１７５０に進む。
【０１２５】
ステップ１７１４に戻ると、ステップ１７１４において、第２の通信デバイスは、第２の送信ユニットに対応する送信トラフィック時間間隔中にデータを第１のデバイスに送信する。
【０１２６】
ステップ１７１６に戻ると、ステップ１７１６において、第２の通信デバイスは、第１のデバイスからの要求が第２のデバイスの送信の必要性よりも高い送信優先順位を有するかどうかを決定する。様々な実施形態では、第２のデバイスの前記送信の必要性の優先順位が、送信されるのを待っている第２のデバイスにおけるデータの優先順位に応じる。次いで、ステップ１７１８において、第２の通信デバイスは、第１のデバイスから受信された要求を第２のデバイスからの送信要求によってオーバーライドすべきかどうかを決定する。動作はステップ１７１８からステップ１７２０に進む。
【０１２７】
ステップ１７２０において、第２のデバイスは、ステップ１７１８のオーバーライド決定判断に応じて別様に進む。第２のデバイスがオーバーライドすることを決定した場合、動作はステップ１７２０からステップ１７２２に進む。さもなければ、第２のデバイスがオーバーライドしないことを決定した場合、動作はステップ１７２０からステップ１７３０に進む。
【０１２８】
ステップ１７２２に戻ると、ステップ１７２２において、第２の通信デバイスは第２の送信ユニット上で要求を送信し、前記要求はデータを送信したいという要求である。次いで、ステップ１７２４において、第２の通信デバイスは送信許容信号を監視する。動作はステップ１７２４からステップ１７２６に進む。ステップ１７２６において、第２の通信デバイスは、許容信号が検出されたか否かに応じて別様に進む。許容信号が検出された場合、動作は、ステップ１７２６からステップ１７２８まで進み、そこで第２の通信デバイスは、第２の送信ユニットに対応する送信時間間隔中にデータを第１のデバイスに送信し、次いで、動作は終了ステップ１７５０に進む。しかしながら、許容信号が検出されなかった場合、動作はステップ１７２６から終了ステップ１７５０に進む。
【０１２９】
ステップ１７３０に戻ると、ステップ１７３０において、第２の通信デバイスは第２の送信ユニット上で送信することを控え、ステップ１７３２において、第２の通信デバイスは送信許容信号を第１のデバイスに送信する。動作はステップ１７３２からステップ１７３４に進み、そこで、第２のデバイスは、第１の送信ユニットに対応する送信時間間隔中に第１のデバイスからデータを受信する。動作はステップ１７３４から終了ステップ１７５０に進む。
【０１３０】
様々な実施形態では、第２の送信ユニットに対応する送信時間間隔と第１の送信ユニットに対応する送信時間間隔とは同じである。いくつかのそのような実施形態では、第１の送信ユニットと第２の送信ユニットの両方に対応する送信時間間隔は、ピアツーピアワイヤレス通信デバイス間でデータをユーザに搬送するために使用されるトラフィック送信時間間隔である。
【０１３１】
いくつかの実施形態では、たとえば、別の第１の送信ユニット、第２の送信ユニットおよび対応するデータ送信間隔を含む後続のスロットに関係する動作のフローチャートステップの繰り返しのために、動作は、ステップ１７１４、１７２８、１７２６（条件なし）または１７３４からステップ１７０４に戻る。
【０１３２】
図１８は、第２の通信デバイスと通信するように第１の通信デバイスを動作させる例示的な方法のフローチャート１８００である。第１および第２の通信デバイスは、たとえば、ピアツーピアワイヤレス端末である。第１の通信デバイスおよび第２の通信デバイスは、複数の送信ユニットを有するシステム中にあり、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、通信デバイスの第１のペアが第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。フローチャート１８００の例示的な方法は、たとえば、ピアツーピアワイヤレス通信システム中の方法であり、第１のデバイスがデータ送信ユニットに送信することを要求した場合、第２のデバイスが、そのデータ送信ユニット、たとえば、ピアツーピアトラフィックセグメントに対応して送信する権限を有しない。
【０１３３】
例示的な方法の動作は、ステップ１８０２で開始し、ステップ１８０４に進む。ステップ１８０４において、第１の通信デバイスは、第２のデバイスに送信したいという要求を示す第１の信号を第１の送信ユニット上で送信する。次いで、ステップ１８０６において、第１の通信デバイスは第２の送信ユニット上で第２の信号を送信する。いくつかの実施形態では、第２の信号は、データに対応して追加情報を搬送する。様々な実施形態では、追加情報はサービス品質情報である。いくつかの実施形態では、追加情報は、データを送信するために使用される送信電力レベルに関する情報を与える。いくつかの実施形態では、追加情報は、第１の信号と第２の信号の両方に基づいて解釈される。
【０１３４】
動作はステップ１８０６からステップ１８０８に進む。ステップ１８０８において、第１の通信デバイスは第２の通信デバイスからの送信許容信号を監視する。動作はステップ１８０８からステップ１８１０に進む。ステップ１８１０において、第１のデバイスが、送信許容信号がステップ１８０８の監視中に第２のデバイスから検出されたと決定した場合、動作はステップ１８１０からステップ１８１２に進む。さもなければ、動作はステップ１８１０からステップ１８１４に進む。
【０１３５】
ステップ１８１０に戻ると、ステップ１８１０において、第１の通信デバイスは、前記第２の送信ユニットの後に発生するデータ送信間隔中でデータを第２のデバイスに送信する。動作はステップ１８１２から終了ステップ１８５０に進む。ステップ１８１４に戻ると、ステップ１８１４において、第１の通信デバイスは、データ送信間隔中でデータを第２のデバイスに送信することを控える。動作はステップ１８１４から終了ステップ１８５０に進む。
【０１３６】
いくつかの実施形態では、たとえば、別の第１の送信ユニット、第２の送信ユニットおよび対応するデータ送信間隔を含む後続のスロットに関係する動作のフローチャートステップの繰り返しのために、動作はステップ１８１２または１８１４からステップ１８０４に進む。
【０１３７】
第１の通信デバイスが第１の送信ユニット中で第１の信号を送信し、第２の送信ユニット中で第２の信号を送信するいくつかの実施形態では、２つのユニットを使用してコードワードを伝達する。第１の通信デバイスが第１の送信ユニット中で第１の信号を送信し、第２の送信ユニット中で第２の信号を送信するいくつかの実施形態では、その２つのユニットのうちの一方を使用して基準を搬送し、他方を使用して情報を搬送する。
【０１３８】
図１９は、様々な実施形態による、第１の通信デバイスと通信するように第２の通信デバイスを動作させる例示的な方法のフローチャート１９００である。第１および第２の通信デバイスは、たとえば、ピアツーピアワイヤレス通信デバイスである。第１および第２の通信デバイスは、複数の送信ユニットを有するシステム中の通信デバイスであり、各送信ユニットが少なくとも１つのシンボルを伝達し、前記送信ユニットの第１のペアが通信デバイスの第１のペアに対応し、通信デバイスの前記第１のペアが前記第１の通信デバイスと第２の通信デバイスとを含み、第１の通信デバイスと第２の通信デバイスとが既存のコネクションを有し、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１３９】
例示的な方法の動作は、ステップ１９０２で開始し、ステップ１９０４に進む。ステップ１９０４において、第２の通信デバイスは、第２のデバイスに送信する許可を要求している第１のデバイスから第１の信号を検出するために、第１の送信ユニットを監視する。動作はステップ１９０４からステップ１９０６に進む。
【０１４０】
ステップ１９０６において、第２の通信デバイスは、第１の信号が検出されたか否かに応じて別様に進む。第２のデバイスが第１のデバイスから第１の信号を検出した場合、動作はステップ１９０６からステップ１９０８に進む。さもなければ、動作はステップ１９０６からステップ１９１６に進む。
【０１４１】
ステップ１９０８において、第２の通信デバイスは、第２の送信ユニット上で伝達された、第１の通信デバイスからの第２の信号を受信する。動作はステップ１９０８からステップ１９１０に進む。
【０１４２】
ステップ１９１０において、第２の通信デバイスは、第１のデバイスが送信すべきデータに対応する情報を第２の信号から再生する。いくつかの実施形態では、再生から得られた追加情報は、第１の信号と第２の信号の両方に基づいて解釈される。いくつかの実施形態では、追加情報はサービス品質情報である。いくつかの実施形態では、追加情報は、データを送信するために使用される送信電力に関する情報を与える。動作はステップ１９１０からステップ１９１２に進む。ステップ１９１２において、第２の通信デバイスは許容信号を第１の通信デバイスに送信する。動作はステップ１９１２からステップ１９１４に進む。
【０１４３】
ステップ１９１４において、第２のデバイスは、第１の送信ユニットに対応し第２の送信ユニットの後に発生するデータ送信間隔中で前記データを受信する。
【０１４４】
ステップ１９１６に戻ると、ステップ１９１６において、第２のデバイスは、送信すべきデータを有するか否かを検討する。第２のデバイスが送信すべきデータを有する場合、動作はステップ１９１６からステップ１９１８に進む。第２の通信デバイスが送信すべきデータを有しない場合、動作は終了ステップ１９５０に進む。
【０１４５】
ステップ１９１８に戻ると、ステップ１９１８において、第２のデバイスは、受信動作モードから送信動作モードに切り替わる。いくつかの実施形態では、受信動作モード中、送信機機能は使用不能になる。いくつかの実施形態では、受信動作モードから送信動作モードへの切替えは、受信機動作を使用不能にすることと、送信機動作を可能にすることとを含む。次いで、ステップ１９２０において、第２のデバイスは、第２の送信ユニット上で送信要求を第１のデバイスに送信する。動作はステップ１９２０からステップ１９２２に進む。ステップ１９３２において、第２の通信デバイスは第１のデバイスからの送信許容信号を監視する。動作はステップ１９２２からステップ１９２４に進む。
【０１４６】
ステップ１９２４において、第２のデバイスは、送信許容信号がステップ１９２２の監視中に第１の通信デバイスから検出されたかどうかを決定し、その決定に応じて別様に進む。送信許容信号が検出された場合、動作はステップ１９２４からステップ１９２６に進む。さもなければ、動作はステップ１９２４からステップ１９２８に進む。
【０１４７】
ステップ１９２６において、第２のデバイスは、第２の送信ユニットに対応するデータ送信間隔中に前記データ送信間隔中でデータを第１のデバイスに送信する。動作はステップ１９２６から終了ステップ１９５０に進む。
【０１４８】
ステップ１９２８に戻ると、ステップ１９２８において、第２の通信デバイスは、データ送信間隔中でデータを第２のデバイスに送信することを控える。動作はステップ１９２８から終了ステップ１９５０に進む。
【０１４９】
いくつかの実施形態では、たとえば、別の第１の送信ユニット、第２の送信ユニットおよび対応するデータ送信間隔を含む後続のスロットに関係する動作のフローチャートステップの繰り返しのために、動作はステップ１９１４、１９２６または１９２８から終了ステップ１９５０の代わりにステップ１９０４に進む。
【０１５０】
第２の通信デバイスが、第１の送信ユニット中で第１の信号を、第２の送信ユニット中で第２の信号を、両方とも第１のデバイスから受信するいくつかの実施形態では、コードワードは、２つのユニットを使用して伝達される。第２の通信デバイスが、第１の送信ユニット中で第１の信号を、第２の送信ユニット中で第２の信号を、両方とも第１のデバイスから受信するいくつかの実施形態では、２つのユニットのうちの一方を使用して基準を搬送し、他方を使用して情報を搬送する。
【０１５１】
図２０は、様々な実施形態による例示的な第１の通信デバイス２０００を示す図である。第１の通信デバイス２０００は、たとえば、ピアツーピア通信をサポートするワイヤレスモバイル通信デバイスである。第１の通信デバイス２０００は、ピアツーピア通信をサポートする第２の通信デバイスを含むシステム中で使用するためのものであり、前記システムが複数の送信ユニットを有し、各送信ユニットが少なくとも１つのシンボルを伝達し、前記送信ユニットの第１のペアがコネクションを有する通信デバイスの第１のペアに対応し、通信デバイスの前記第１のペアが前記第１の通信デバイスと前記第２の通信デバイスとを含み、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１５２】
第１の通信デバイス２０００は、様々な要素がデータおよび情報を交換するためのバス２０１２を介して互いに結合された、ワイヤレス受信機モジュール２００２と、ワイヤレス送信機モジュール２００４と、ユーザ入出力デバイス２００８と、プロセッサ２００６と、メモリ２０１０とを含む。
【０１５３】
ワイヤレス受信機モジュール２００２、たとえば、ＯＦＤＭ受信機は、通信デバイス２０００が、他の通信デバイス、たとえば、ピアツーピア通信をサポートする第２の通信デバイスから信号を受信する受信アンテナ２０１４に結合される。第２のデバイスからの信号が第２の送信ユニット上で検出されたとき、ワイヤレス受信機モジュール２００２は、第２の送信ユニットの後に発生するデータ送信間隔中に、第２の通信デバイスからデータを受信する。いくつかの実施形態では、第２の通信デバイスから受信された送信要求が許容されたとき、ワイヤレス受信機モジュール２００２は、第２のデータ送信時間間隔中に第２の通信デバイスからデータを受信するためのものである。
【０１５４】
ワイヤレス送信機モジュール２００４、たとえば、ＯＦＤＭ送信機は、通信デバイスが、他の通信デバイス、たとえば、ピアツーピア通信をサポートする第２の通信デバイスに信号を送信する送信アンテナ２０１６に結合される。ワイヤレス送信機モジュール２００４は、第２の通信デバイスに送信したいという要求を示す信号を第１の送信ユニット上で送信するためのものである。ワイヤレス送信機モジュール２００４はまた、第２の通信デバイスに送信したいという要求を示す第２の信号を第４の送信ユニット上で送信するためのものである。
【０１５５】
ユーザ入出力デバイス２００８は、たとえば、マイクロホン、キーボード、キーパッド、カメラ、スピーカ、ディスプレイなどを含む。ユーザ入出力デバイス２００８により、通信デバイス２０００のユーザは、データ／情報を入力し、出力データ／情報にアクセスし、通信デバイス２０００の少なくともいくつかの機能を制御することができる。
【０１５６】
メモリ２０１０は、ルーチン２０１８とデータ／情報２０４０とを含む。プロセッサ２００６、たとえば、ＣＰＵは、ルーチン２０１８を実行し、メモリ２０１０内のデータ／情報２０４０を使用して、第１の通信デバイス２０００の動作を制御し、たとえば、図１５のフローチャート１５００の方法または図１６のフローチャート１６００の方法を実施する。ルーチン２０１８は通信ルーチン２０２２とワイヤレス端末制御ルーチン２０２４とを含む。通信ルーチン２０２２は、第１の通信デバイス２０００によって使用される様々な通信プロトコルを実装する。
【０１５７】
ワイヤレス端末制御ルーチン２０２４は、監視モジュール２０２６と、データ送信制御モジュール２０２８と、モード制御モジュール２０３０と、受信モード制御モジュール２０３２と、送信要求制御モジュール２０３４とを含む。いくつかの実施形態では、ワイヤレス端末制御ルーチン２０３４は、送信要求オーバーライドモジュール２０３６と要求応答モジュール２０３８とのうちの１つまたは複数を含む。
【０１５８】
データ／情報２０４０は、ピアツーピアタイミングおよび／または周波数構造情報２０４２とコネクション情報２０５０とを含む。ピアツーピアタイミングおよび／または周波数構造情報２０４２は、循環ピアツーピア構造内の複数のトラフィックスロットに対応する情報（トラフィックスロット１の情報２０４４、トラフィックスロット２の情報２０４６、…、トラフィックスロットＮの情報２０４８）を含む。トラフィックスロット１の情報２０４４は、第１の送信ユニット情報２０５２と、第２の送信ユニット情報２０５４と、データ送信間隔１情報２０５８とを含む。いくつかの実施形態では、トラフィックスロット１の情報２０４４は要求応答送信ユニット情報２０５６を含む。トラフィックスロット２の情報２０４６は、第３の送信ユニット情報２０６０と、第４の送信ユニット情報２０６２と、データ送信間隔２情報２０６６とを含む。いくつかの実施形態では、トラフィックスロット２の情報２０４６は要求応答送信ユニット情報２０６４を含む。
【０１５９】
監視モジュール２０２６は、第２の通信デバイスからの信号、たとえば、送信要求を検出するために、第２の送信ユニットを監視する。監視モジュール２０２６はまた、第２のデバイスからの信号、たとえば、送信要求信号を検出するために、第３の送信ユニットを監視することに関する。様々な実施形態では、第１の通信デバイスが第２の通信デバイスとのコネクションを有するとき、監視モジュール２０２６は、監視されている送信ユニット上で第２の通信デバイスからの信号が検出されたか否かを示す指示を出力する。
【０１６０】
第１のデバイスが第１の送信ユニット上で要求を示す前記信号を送信し、第２の通信デバイスからの信号が第２の送信ユニット上で検出されなかったとき、データ送信制御モジュール２０２８は、第２の送信ユニットの後に発生する前記データ送信間隔中で第２の通信デバイスにデータを送信するようにワイヤレス送信機モジュール２００４を制御する。データ送信制御モジュール２０２８はまた、第４の送信ユニット上で第１のデバイスによって伝達された要求信号の後の、第４の送信間隔の後に発生する第２のデータ送信間隔中でデータを第２のデバイスに送信するように、ワイヤレス送信機モジュール２００４を制御する。
【０１６１】
モード制御モジュール２０３０は、第１の送信ユニットと第２の送信ユニットとの間の時間ギャップ中に、送信動作モードと受信動作モードとの間で切り替わる。いくつかの実施形態では、時間ギャップは少なくとも１マイクロ秒である。いくつかの実施形態では、時間ギャップは少なくとも１シンボル長である。様々な実施形態では、時間ギャップは固定であり、あらかじめ決定される。
【０１６２】
受信モード制御モジュール２０３２は、受信動作モードで動作しているとき送信モード機能が使用不能になるように制御する。
【０１６３】
前記第１の通信デバイスが第２の通信デバイスに送信すべきデータを有するとき、および第２のデバイスからの信号が第３の送信ユニット上で監視モジュール２０２６によって検出されなかったとき、送信要求制御モジュール２０３４は、第２のデバイスに送信したいという要求を示す第２の信号を第４の送信ユニット上で送信するようにワイヤレス送信機モジュール２００４を制御するためのものである。いくつかの実施形態では、第２のデバイスからの信号が第３の送信ユニット上で検出されたとき、送信要求制御モジュール２０３４は、第４の送信ユニット上で送信することを控えるようにワイヤレス送信機モジュール２００４を制御する。
【０１６４】
第２のデバイスからの信号が第３の送信ユニット上で検出されたとき、および第１のデバイスが第２の通信デバイスに送信すべきデータを有するとき、送信要求オーバーライドモジュール２０３６は、第２のデバイスに送信したいという要求を示す第２の信号を第４の送信ユニット上で送信するようにワイヤレスデバイス２０００を制御するためのものである。
【０１６５】
要求応答モジュール２０３８は、受信された送信要求信号に応答して送信すべき応答信号、たとえば肯定の応答を意味するＲＸエコー信号を生成する。たとえば、第２の送信ユニット上で第２の通信デバイスから受信された送信要求信号に応答して、要求応答モジュール２０３８はＲＸエコー信号を生成し、情報２０５６によって識別された要求応答送信ユニット上でＲＸエコー信号の通信を制御する。同様に、第３の送信ユニット上で第２の通信デバイスから受信された、オーバーライドされていない送信要求信号に応答して、要求応答モジュール２０３８はＲＸエコー信号を生成し、情報２０６４によって識別された要求応答送信ユニット上でＲＸエコー信号の通信を制御する。
【０１６６】
要求応答モジュール２０３８はまた、第１の通信デバイスからの送信したいという要求に応答して、第２の通信デバイスから受信された要求応答を識別する。たとえば、第１の通信デバイス２０００が第１の送信ユニット２０５２上で要求を送信し、要求がオーバーライドされず、要求が許容されたことを考えると、第１の通信デバイス２０００は、情報２０５６によって識別される要求応答送信ユニット上で伝達される第２の通信デバイスからＲＸエコー信号を識別することを予想する。同様に、第１の通信デバイスが第４の送信ユニット２０６２上で要求を送信し、要求が許容されたことを考えると、第１の通信デバイス２０００は、情報２０６４によって識別される要求応答送信ユニット上で伝達される第２の通信デバイスからのＲＸエコー信号を識別することを予想する。
【０１６７】
第１の送信ユニット情報２０５２は、タイミング構造中での第１の送信ユニットの時間位置を識別する情報と第１の送信ユニットに対応する周波数情報を識別する情報とを含む。第２の送信ユニット情報２０５４は、タイミング構造中での第２の送信ユニットの時間位置を識別する情報と第２の送信ユニットに対応する周波数情報を識別する情報とを含む。要求応答送信ユニット情報２０５６は、タイミング構造中での第１の送信ユニットと第２の送信ユニットの両方に対応する要求応答エアリンクリソースの時間位置を識別する情報と、要求応答エアリンクリソースのための周波数情報を識別する情報とを含む。データ送信間隔１情報２０５８は、タイミング構造中でのデータ送信間隔１の時間位置を識別する情報と、データ送信間隔のための周波数情報を識別する情報とを含む。いくつかの実施形態では、データ送信間隔１情報２０５８は、第１の送信ユニットまたは第２の送信ユニットを使用して伝達される要求にリンクされたピアツーピアトラフィックセグメントを識別する。
【０１６８】
第３の送信ユニット情報２０６０は、タイミング構造中での第３の送信ユニットの時間位置を識別する情報と第３の送信ユニットに対応する周波数情報を識別する情報とを含む。第４の送信ユニット情報２０６２は、タイミング構造中での第４の送信ユニットの時間位置を識別する情報と第４の送信ユニットに対応する周波数情報を識別する情報とを含む。要求応答送信ユニット情報２０６４は、タイミング構造中での第３の送信ユニットと第４の送信ユニットの両方に対応する要求応答エアリンクリソースの時間位置を識別する情報と、要求応答エアリンクリソースのための周波数情報を識別する情報とを含む。データ送信間隔２情報２０６６は、タイミング構造中でのデータ送信間隔２の時間位置を識別する情報と、データ送信間隔のための周波数情報を識別する情報とを含む。いくつかの実施形態では、データ送信間隔２情報２０６６は、第３の送信ユニットまたは第４の送信ユニットを使用して伝達される要求にリンクされたピアツーピアトラフィックセグメントを識別する。
【０１６９】
コネクション情報２０５０は、第１の通信デバイス２０００が現在有する進行中のピアツーピアコネクション、たとえば、第２の通信デバイスとのコネクションを識別する情報を含む。様々な実施形態では、送信要求および／または送信要求応答信号を搬送するために使用されるエアリンクリソースは、コネクション識別子の機能である。たとえば、第１の通信デバイス２０００が第２の通信デバイスの代わりに第３の通信デバイスとのコネクションを有した場合、トラフィックスロット１のための情報（２０５２、２０５４、２０５６）および情報（２０６０、２０６２、２０６４）は、いくつかの実施形態では、異なるエアリンクリソースを識別する。
【０１７０】
いくつかの実施形態では、第１、第２、第３および第４の送信ユニット情報（２０５２、２０５４、２０６０、２０６２）はそれぞれ、循環タイミング構造中の単一の異なるＯＦＤＭトーンシンボルを識別する。いくつかの実施形態では、データ送信間隔１情報は、少なくとも１０個のＯＦＤＭトーンシンボルを含むピアツーピアトラフィックセグメントを識別する。
【０１７１】
図２１は、様々な実施形態による例示的な第２の通信デバイス２１００の図である。第２の通信デバイス２１００は、たとえば、ピアツーピア通信をサポートするワイヤレスモバイル通信デバイスである。第２の通信デバイス２１００は、ピアツーピア通信をサポートする第１の通信デバイスを含むシステム中で使用するためのものであり、前記システムが複数の送信ユニットを有し、各送信ユニットが少なくとも１つのシンボルを伝達し、前記送信ユニットの第１のペアがコネクションを有する通信デバイスの第１のペアに対応し、通信デバイスの前記第１のペアが前記第１の通信デバイスと前記第２の通信デバイスとを含み、送信ユニットの前記第１のペアが第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１７２】
第１の通信デバイス２１００は、様々な要素がデータおよび情報を交換するためのバス２１１２を介して互いに結合された、ワイヤレス受信機モジュール２１０２と、ワイヤレス送信機モジュール２１０４と、ユーザ入出力デバイス２１０８と、プロセッサ２１０６と、メモリ２０１０とを含む。
【０１７３】
ワイヤレス受信機モジュール２１０２、たとえば、ＯＦＤＭ受信機は、通信デバイス２１００が、他の通信デバイス、たとえば、ピアツーピア通信をサポートする第１の通信デバイスから信号を受信する受信アンテナ２１１４に結合される。ワイヤレス受信機モジュール２１０２は、他のピアツーピアデバイスから送信要求を、他のピアツーピアデバイスから要求応答信号を、および他のピアツーピアデバイスから、たとえば、第２の通信デバイス２１００とのコネクションを有する第１の通信デバイスからトラフィックデータセグメント信号を受信する。ワイヤレス受信機モジュール２１０２は、時々、データを送信したいという要求、第２の送信ユニット上で送信された要求の送信の後の時間期間に送信要求信号に応答して送信された送信許容信号を受信する。たとえば、送信許容信号は、要求応答送信ユニット情報２１５０によって識別されるエアリンクリソース上で受信される。送信要求評価モジュール２１３２が受信された要求が許容されるべきと決定したとき、ワイヤレス受信機モジュール２１０２はまた、第１の送信ユニットに対応する送信時間間隔中にデータを受信することに関する。
【０１７４】
ワイヤレス送信機モジュール２１０４、たとえば、ＯＦＤＭ送信機は、通信デバイス２１００が、他の通信デバイス、たとえば、ピアツーピア通信をサポートする第１の通信デバイスに信号を送信する送信アンテナ２１１６に結合される。いくつかの実施形態では、同じアンテナが送信機と受信機に使用される。第１の通信デバイスからの信号が第１の送信ユニット上で検出されないとき、および第２のデバイス２１００が第１のデバイスに送信すべきデータを有するとき、ワイヤレス送信機モジュール２１０４は、データを送信したいという要求、第２の送信ユニット上で送信されている要求を送信する。ワイヤレス送信機モジュール２１０４はまた、第２の送信ユニット上で送信された要求の後の第２の送信ユニットに対応する送信時間間隔中に第１のデバイスにデータを送信する。いくつかの実施形態では、ワイヤレス送信機モジュール２１０４は、受信した送信許容信号に応答して第２の送信ユニットに対応する送信時間間隔中にデータを第１のデバイスに送信する。いくつかのそのような実施形態では、第２の通信デバイス２１００が第２の送信ユニット上で伝達される送信要求に応答して送信許容信号を再生しない場合、ワイヤレス送信機モジュール２１０４は、第２の送信ユニットに対応する送信時間間隔中にデータを第１のデバイスに送信しない。
【０１７５】
ユーザ入出力デバイス２１０８は、たとえば、マイクロホン、キーボード、キーパッド、カメラ、スピーカ、ディスプレイなどを含む。ユーザ入出力デバイス２１０８により、通信デバイス２１００のユーザは、データ／情報を入力し、出力データ／情報にアクセスし、通信デバイス２１００の少なくともいくつかの機能を制御することができる。
【０１７６】
メモリ２１１０は、ルーチン２１１８とデータ／情報２１２０とを含む。プロセッサ２１０６、たとえば、ＣＰＵは、ルーチン２１１８を実行し、メモリ２１１０中のデータ／情報２１２０を使用して、第２の通信デバイス２１００の動作を制御し、たとえば、図１７のフローチャート１７００の方法を実施する。ルーチン２１１８は通信ルーチン２１２２とワイヤレス端末制御ルーチン２１２４とを含む。通信ルーチン２１２２は、第２の通信デバイス２１００によって使用される様々な通信プロトコルを実装する。
【０１７７】
ワイヤレス端末制御ルーチン２１２４は、監視モジュール２１２６と、要求オーバーライド決定モジュール２１２８と、送信要求制御モジュール２１３０と、送信要求評価モジュール２１３２と、送信要求応答信号制御モジュール２１３４と、要求優先順位決定モジュール２１３６と、送信必要性優先順位モジュール２１３８とを含む。データ／情報２１２０は、ピアツーピアタイミングおよび／または周波数構造情報２１４０と、コネクション情報２１５４と、受信されたＴＸ要求信号２１５６および関連する優先順位情報２１５８と、送信必要性情報２１６０および関連する優先順位情報２１６２と、優先順位決定インジケータ２１６４と、オーバーライド決定２１６６と、生成されたＴＸ要求信号２１６８およびトラフィックセグメントデータ２１７０とを含む。
【０１７８】
ピアツーピアタイミングおよび／または周波数構造情報２１４０は、循環ピアツーピア構造内の異なる添え字付きトラフィックスロットに対応する情報の複数のセット（トラフィックスロット１の情報２１４２、…、トラフィックスロットＮの情報２１４４）を含む。トラフィックスロット１の情報２１４２は、第１の送信ユニット情報２１４６と、第２の送信ユニット情報２１４８と、データ送信間隔１情報２１４４とを含む。いくつかの実施形態では、トラフィックスロット１の情報２１４２は要求応答送信ユニット情報２１５０を含む。
【０１７９】
監視モジュール２１２６は、第１の通信デバイスからの信号、たとえば、対応するトラフィックデータセグメント中でトラフィックデータを第２の通信デバイス２１００に送信する許可を要求する第１のデバイスからのトラフィック送信要求信号を検出するために、第１の送信ユニットを監視する。様々な実施形態では、第２の通信デバイスが第１の通信デバイスとのコネクションを有するとき、監視モジュール２１６６は、第１の通信デバイスからの信号が第１の送信ユニット中で検出されたか否かを示すインジケータを出力する。
【０１８０】
第１のデバイスからの信号が監視モジュール２１２６によって第１の送信ユニット上で検出され、検出された信号が送信要求であるとき、要求オーバーライド決定モジュール２１２８は、第１のデバイスから受信された送信要求を、第２のデバイスからの送信要求によってオーバーライドすべきかどうかを決定する。要求オーバーライド決定モジュール２１２８は、要求優先順位決定モジュール２１３６からの決定を使用してオーバーライド決定を行う。
【０１８１】
要求オーバーライド決定モジュール２１２８が、第１のデバイスから受信された要求をオーバーライドすべきと決定したとき、送信要求制御モジュール２１３０は第２の送信ユニット上でデータを送信したいという要求を送信するようにワイヤレス送信機モジュール２１０４を制御する。送信要求オーバーライド決定モジュール２１２８が、第１のデバイスから受信された要求をオーバーライドすべきでないと決定した場合、送信要求制御モジュール２１３０は、第２の送信ユニット上での送信を控えるようにワイヤレス送信機モジュール２１０４を制御する。
【０１８２】
送信要求評価モジュール２１３２は、受信された送信要求が許容されるべきかまたは拒絶されるべきかを決定する。送信要求評価モジュール２１３２は干渉情報に応じて決定を行う。送信要求評価モジュール２１３２はまた、第２の通信デバイスが、第１の通信デバイスに伝達したいデータを有する場合には、要求オーバーライド決定に応じて決定を行う。第１のデバイスからの送信要求をオーバーライドすることを決定した場合、第１のデバイスからの送信要求は拒絶される。第１のデバイスからの送信要求は、干渉要件、たとえば、システム中の他の通信に対して生成される干渉、および／または第１のデバイスが、対応するデータトラフィック間隔中でトラフィックデータを第２のデバイスに送信することが可能ならば、第２の通信デバイスに送信されているデータの再生に干渉することが予想される他の通信からの干渉に基づいて拒絶されることがあり、時々拒絶される。
【０１８３】
送信要求評価モジュール２１３２が、受信された要求が許容されるべきと決定したとき、たとえば、時間間隔中で、要求応答送信ユニット情報２１５０によって識別された周波数を使用してＲＸエコー信号などの送信許容信号を送信するとき、送信要求応答信号制御モジュール２１３４は、受信された第１の送信ユニットの後の時点で送信許容信号を第１のデバイスに送信するようにワイヤレス送信機モジュール２１０４を制御する。
【０１８４】
要求優先順位決定モジュール２１３６は、第１のデバイスからの送信要求が第２のデバイスの送信の必要性よりも高い送信優先順位を有するかどうかを決定する。送信必要性優先順位モジュール２１３８は、送信されるのを待っている第２のデバイスにおけるデータの優先順位に応じて第２のデバイスの送信の必要性の優先順位を決定する。
【０１８５】
第１の送信ユニット情報２１４６は、第１の通信デバイスから第２の通信デバイスに送信要求を搬送するために使用されるピアツーピアタイミング／周波数構造中で、エアリンクリソース、たとえば、ＯＦＤＭトーンシンボルを識別し、その送信要求は、データ送信間隔１情報２１５２によって識別されるエアリンクリソースを使用してトラフィックデータ信号、たとえば、第１のピアツーピアトラフィックセグメントを第２の通信デバイス２１００に送信したいという要求である。第２の送信ユニット情報２１４８は、第２の通信デバイス２１００から第１の通信デバイスに送信要求を搬送するために使用されるピアツーピアタイミング／周波数構造中で、エアリンクリソース、たとえば、ＯＦＤＭトーンシンボルを識別し、その送信要求は、データ送信間隔１情報２１５２によって識別されるエアリンクリソースを使用してトラフィックデータ信号、たとえば、第１のピアツーピアトラフィックセグメントを第１の通信デバイスに送信したいという要求である。要求応答送信ユニット情報２１５０は、第１の送信ユニットと第２の送信ユニットのうちの一方で受信された要求に肯定の応答を搬送するために使用されるピアツーピアタイミング／周波数構造中で、エアリンクリソース、たとえば、ＯＦＤＭトーンシンボルを識別する。様々な実施形態では、第１の送信ユニットが第２の送信ユニットに先行し、第２の送信ユニットが要求応答送信ユニットに先行し、要求応答送信ユニットがデータ送信間隔に先行するように、リソースは時間的に構造化される。
【０１８６】
コネクション情報２１５４は、第２の通信デバイスが既存のコネクションを有するピアツーピア通信デバイス、たとえば、第１の通信デバイスを識別する情報を含む。受信された送信要求信号２１５６は、第１の送信ユニットのエアリンクリソースを使用して第１の通信デバイスによって送信される信号であり、監視モジュール２１２６によって検出される。優先順位情報２１５８は、受信されたＴＸ要求信号２１５６に関連しており、要求優先順位決定モジュール２１３６の出力である。送信必要性情報２１６０は、たとえば、第１の通信デバイスに伝達されるのを待っているトラフィック情報のバックログの量を識別する情報であり、第１の通信デバイスに伝達されるのを待っているトラフィックのバックログに関連する待ち時間情報を特定する情報であり、第１の通信デバイスに送信されるのを待っている、たとえば、ボイストラフィック、イメージデータ／情報およびテキストデータ／情報などの非ボイストラフィックなど、トラフィックのタイプを特定する情報であり、第１の通信デバイスに伝達されるのを待っているトラフィックに関連するサービス品質レベルであり、および／または、第１の通信デバイスに伝達されるのを待っているトラフィックに関連するサービスレベルである。送信必要性情報２１６０は送信必要性優先順位モジュール２１３８への入力であり、優先順位情報２１６２は送信必要性優先順位モジュールの出力である。オーバーライド決定２１６６は、要求オーバーライド決定モジュール２１２８の出力である。生成された送信要求信号２１６８は、送信要求制御モジュール２１２８の制御下で送信されるトラフィックを第１の通信デバイスに送信したいという要求を伝達する生成された信号である。
【０１８７】
トラフィックセグメント、たとえば、データ送信間隔１情報２１５２によって識別されるトラフィックセグメントに対応するトラフィックセグメントデータ２１７０は、実装された要求／応答シグナリングプロトコルの結果として、トラフィックスロットの決定により第１または第２の通信デバイスがトラフィックセグメントを使用することを許可されることになったかどうかに応じて、第１の通信デバイスから受信されたピアツーピアトラフィック信号、または第１の通信デバイスに送信されるピアツーピアトラフィック信号のうちの１つである。
【０１８８】
図２２は、様々な実施形態による例示的な第１の通信デバイス２２００を示す図である。第１の通信デバイス２２００は、たとえば、ピアツーピア通信をサポートするワイヤレスモバイル通信デバイスである。第１の通信デバイス２２００は、ピアツーピア通信をサポートする第２の通信デバイスを含むシステム中で使用するためのものであり、前記システムが複数の送信ユニットを有し、各送信ユニットが少なくとも１つのシンボルを伝達し、前記送信ユニットの第１のペアがコネクションを有する通信デバイスの第１のペアに対応し、通信デバイスの前記第１のペアが前記第１の通信デバイスと前記第２の通信デバイスとを含み、送信ユニットの前記第１のペアが、第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０１８９】
第１の通信デバイス２２００は、様々な要素がデータおよび情報を交換するためのバス２２１２を介して互いに結合された、ワイヤレス受信機モジュール２２０２と、ワイヤレス送信機モジュール２２０４と、ユーザ入出力デバイス２２０８と、プロセッサ２２０６と、メモリ２２１０とを含む。
【０１９０】
ワイヤレス受信機モジュール２２０２、たとえば、ＯＦＤＭ受信機は、通信デバイス２２００が、他の通信デバイス、たとえば、ピアツーピア通信をサポートする第２の通信デバイスから信号を受信する受信アンテナ２２１４に結合される。
【０１９１】
ワイヤレス送信機モジュール２２０４、たとえば、ＯＦＤＭ送信機は、通信デバイス２２００が、他の通信デバイス、たとえば、ピアツーピア通信をサポートする第２の通信デバイスに信号を送信する送信アンテナ２２１６に結合される。ワイヤレス送信機モジュール２２０４は、第２の通信デバイスに送信したいという要求を示す第１の信号を第１の送信ユニット上で送信するためのものであり、第２の送信ユニットの後に発生するデータ送信間隔中でデータを第２のデバイスに送信するためのものである。ワイヤレス送信機モジュール２２０４はまた、第２の信号、たとえば、第１の送信ユニットの要求に対応する追加情報を搬送する第２の信号を、データ送信間隔中でデータを送信するより前の第２の送信ユニット中で送信するためのものである。
【０１９２】
ユーザ入出力デバイス２２０８は、たとえば、マイクロホン、キーボード、キーパッド、カメラ、スピーカ、ディスプレイなどを含む。ユーザ入出力デバイス２２０８により、通信デバイス２２００のユーザは、データ／情報を入力し、出力データ／情報にアクセスし、通信デバイス２２００の少なくともいくつかの機能を制御することができる。
【０１９３】
メモリ２２１０は、ルーチン２２１８とデータ／情報２２２０とを含む。プロセッサ２２０６、たとえば、ＣＰＵは、ルーチン２２１８を実行し、メモリ２２１０中のデータ／情報２２２０を使用して、第１の通信デバイス２２００の動作を制御し、たとえば、図１８のフローチャート１８００の方法を実施する。
【０１９４】
ルーチン２２１８は通信ルーチン２２２２とワイヤレス端末制御ルーチン２２２４とを含む。通信ルーチン２２２２は、第１の通信デバイス２２００によって使用される様々な通信プロトコルを実装する。
【０１９５】
ワイヤレス端末制御ルーチン２２２４は、第１の信号生成モジュール２２２６と、第２の信号生成モジュール２２２８と、要求応答監視モジュール２２３０と、いくつかの実施形態では、データ送信制御モジュール２２３２とを含む。
【０１９６】
データ／情報２２２０は、ピアツーピアタイミングおよび／または周波数構造情報２２３４と、コネクション情報２２４８と、第１の通信デバイスに送信されるトラフィックデータ２２５０と、第１の送信ユニット上で送信される生成されたＴＸ要求信号２２５２と、送信されるデータに対応する追加情報２２５４と、第２の送信ユニット上で送信される生成された追加の信号２２５６とを含む。いくつかの実施形態では、データ／情報２２２０は、第１のデバイスから検出された応答信号２２５８を含む。
【０１９７】
ピアツーピアタイミングおよび／または周波数構造情報２２３４は、循環ピアツーピア構造内の異なる添え字付きトラフィックスロットに対応する情報の複数のセット（トラフィックスロット１の情報２２３６、…、トラフィックスロットＮの情報２２３８）を含む。トラフィックスロット１の情報２２３６は、第１の送信ユニット情報２２４０と、第２の送信ユニット情報２２４２と、データ送信間隔１情報２２４６とを含む。いくつかの実施形態では、トラフィックスロット１の情報２２３６は要求応答送信ユニット情報２２４４を含む。
【０１９８】
第１の信号生成モジュール２２２６は、ワイヤレス送信機モジュール２２０４を使用して第１の信号を送信するより前に、第１の信号を生成する。たとえば、第１の信号生成モジュール２２２６は、第１の送信ユニット上で送信される生成された送信要求信号２２５２を生成し、生成された信号は、第１の送信ユニット情報２２４０によって識別されるエアリンクリソース上で伝達され、第１の信号は、第２の通信デバイスへのＴＸ要求である。
【０１９９】
第２の信号生成モジュール２２２８は第２の信号を生成する。たとえば、送信されるデータ、たとえば、トラフィックデータに対応する追加情報２２５４から、第２の信号生成モジュール２２２８は、第２の送信ユニット上で送信される生成された追加の信号２２５６を生成する。生成された第２の信号は、第２の送信ユニット情報２２４２によって識別されるエアリンクリソース上で伝達されることになる。
【０２００】
いくつかの実施形態では、追加情報は、第１の信号と第２の信号の両方に基づいて解釈される。いくつかの実施形態では、追加情報は第１の信号と第２の信号の両方を介して伝達され、たとえば、コードワードは、情報を伝達する第１の信号と第２の信号の両方を使用して伝達される。いくつかの実施形態では、追加情報はサービス品質情報である。いくつかの実施形態では、追加情報は、データ、たとえば、ピアツーピアトラフィックデータを送信するために使用される送信電力レベルに関する情報を与える。
【０２０１】
いくつかの実施形態に含まれる要求応答監視モジュール２２３０は、前記第１の信号を送信した後で、前記データ、たとえばピアツーピアトラフィックデータを送信するより前に、送信許容信号を監視する。様々な実施形態では、要求監視モジュール２２３０は、第１および第２の信号を送信した後で、前記データ、たとえばピアツーピアトラフィックデータを送信するより前に、送信許容信号を監視する。
【０２０２】
データ送信制御モジュール２２３２は、データ、たとえば、ピアツーピアトラフィックデータの送信を制御する。要求応答監視モジュール２２３０を含む様々な実施形態では、送信許容信号が要求応答監視モジュール２２３０によって検出されないとき、データ送信制御モジュール２２３２は、データを送信することを控えるように送信機モジュール２２０４を制御する。
【０２０３】
要求応答監視モジュール２２３０を含む例示的な実施形態を考える。第１の通信デバイス２２００が、通信システムによって使用されているピアツーピアタイミング／周波数構造のトラフィックスロット１中でピアツーピアデータトラフィックを第２の通信デバイスに送信したいと考える。第１の通信デバイス２２００は、送信ユニット、たとえば、２２４０によって識別されるＯＦＤＭトーンシンボルを使用して送信するＴＸ要求信号を生成する。次いで、第１の通信デバイスが第１の送信ユニット中で要求を送信したので、第１の通信デバイス２２００はまた、第２の送信ユニット、たとえば、第２の送信ユニット情報２２４２によって識別されるＯＦＤＭシンボルを使用して追加の信号を搬送するようにスケジュールされる。したがって、通信デバイス２２００は、第２の送信ユニット中で追加情報を搬送する第２の信号を生成し、送信する。追加情報は、たとえば、第１のデバイスが第２のデバイスに送信することを意図するピアツーピアトラフィックに対応するサービス品質情報、または第１のデバイスが第２のデバイスに送信することを意図するトラフィックに対応する電力レベル情報である。本実施形態では、第１のデバイス２２００が第１の送信ユニット上でＴＸ要求を送信しなかった場合、第２のデバイスが、このトラフィックスロット中にトラフィックデータを第１のデバイスに送信することを望むならば、第２の送信ユニットは、第２のデバイスから第１のデバイスにＴＸ要求を搬送するために指定されたであろう。
【０２０４】
この例を続けると、第１の通信デバイス２２００が、第１の送信ユニット上でＴＸ要求である第１の信号を、第２の送信ユニット上で追加情報を搬送する第２の信号を送信した場合、その後、第１のデバイス２２００は、エアリンクリソース、たとえば、要求応答送信ユニット情報２２４４によって識別されるＯＦＤＭトーンシンボル上で伝達される要求応答信号を監視する。第１のデバイス２２００が、第２のデバイスから、送信要求の許容を意味する応答、たとえば、ＲＸエコー信号を受信した場合、第１のデバイス２２００は、データ送信間隔１情報２２４６によって識別されるピアツーピアトラフィックデータセグメント上で第１のデバイスに送信されるトラフィックデータ２２５０を送信する。しかしながら、第１のデバイス２２００が、情報２２４４によって識別される要求応答リソース上で第２のデバイスから応答信号、たとえば、ＲＸエコーを再生しない場合、第１の通信デバイス２２００は、情報２２４６によって識別されるトラフィックデータセグメント上でトラフィックデータ２２５０を送信しない。
【０２０５】
図２３は、様々な実施形態による例示的な第２の通信デバイス２３００の図である。第２の通信デバイス２３００は、たとえば、ピアツーピア通信をサポートするワイヤレスモバイル通信デバイスである。第２の通信デバイス２３００は、ピアツーピア通信をサポートする第１の通信デバイスを含むシステム中で使用するためのものであり、前記システムが複数の送信ユニットを有し、各送信ユニットが少なくとも１つのシンボルを伝達し、前記送信ユニットの第１のペアがコネクションを有する通信デバイスの第１のペアに対応し、通信デバイスの前記第１のペアが前記第１の通信デバイスと前記第２の通信デバイスとを含み、送信ユニットの前記第１のペアが第１のデバイスに対応する第１の送信ユニットと第２のデバイスに対応する第２の送信ユニットとを含み、第１の送信ユニットと第２の送信ユニットとが時間的に重複せず、第１の送信ユニットが第２の送信ユニットに先行する。
【０２０６】
第１の通信デバイス２３００は、様々な要素がデータおよび情報を交換するためのバス２３１２を介して互いに結合された、ワイヤレス受信機モジュール２３０２と、ワイヤレス送信機モジュール２３０４と、ユーザ入出力デバイス２３０８と、プロセッサ２３０６と、メモリ２３１０とを含む。
【０２０７】
ワイヤレス受信機モジュール２３０２、たとえば、ＯＦＤＭ受信機は、通信デバイス２３００が、他の通信デバイス、たとえば、ピアツーピア通信をサポートする第１の通信デバイスから信号を受信する受信アンテナ２３１４に結合される。ワイヤレス受信機モジュール２３０２は、第１の通信デバイスから第１の送信ユニット上で伝達される、たとえば、情報２３４６によって識別される第１の信号、たとえば、信号２３６０を受信するためのものであり、第２の送信ユニット上で伝達され、第１の通信デバイスから受信された、たとえば、情報２３４８によって識別される第２の信号、たとえば、信号２３６２を受信するためのものである。
【０２０８】
ワイヤレス送信機モジュール２３０４、たとえば、ＯＦＤＭ送信機は、通信デバイス２３００が、他の通信デバイス、たとえば、ピアツーピア通信をサポートする第１の通信デバイスに信号を送信する送信アンテナ２３１６に結合される。いくつかの実施形態では、同じアンテナが送信機と受信機に使用される。様々な実施形態、たとえば、要求応答送信ユニット情報によって識別される要求応答送信ユニットを含む実施形態では、ワイヤレス送信機モジュール２３０４は、第１の送信ユニット中で送信要求を受信した後で、対応するデータ送信間隔中で対応するトラフィックデータを受信するより前に、条件付きで許容信号を送信する。ワイヤレス送信機モジュール２３０４が前に、第２の送信ユニット中に送信要求、ＴＸ要求を第１のデバイスに送信したとき、ワイヤレス送信機モジュール２３０４は、時々、第２の送信ユニットに対応するデータ送信時間間隔中にトラフィックデータを第１のデバイスに送信する。いくつかの実施形態では、トラフィックデータ送信は、第１のデバイスから送信要求応答信号、たとえば、ＲＸエコー信号を受信することを条件とする。
【０２０９】
ユーザ入出力デバイス２３０８は、たとえば、マイクロホン、キーボード、キーパッド、カメラ、スピーカ、ディスプレイなどを含む。ユーザ入出力デバイス２３０８により、通信デバイス２３００のユーザは、データ／情報を入力し、出力データ／情報にアクセスし、通信デバイス２３００の少なくともいくつかの機能を制御することができる。
【０２１０】
メモリ２３１０は、ルーチン２３１８とデータ／情報２３２０とを含む。プロセッサ２３０６、たとえば、ＣＰＵは、ルーチン２３１８を実行し、メモリ２３１０中のデータ／情報２３２０を使用して、第２の通信デバイス２３００の動作を制御し、たとえば、図１９のフローチャート１９００の方法を実施する。ルーチン２３１８は通信ルーチン２３２２とワイヤレス端末制御ルーチン２３２４とを含む。通信ルーチン２３２２は、第２の通信デバイス２３００によって使用される様々な通信プロトコルを実装する。
【０２１１】
ワイヤレス端末制御ルーチン２３２４は、監視モジュール２３２６と、データ送信間隔制御モジュール２３２８と、追加情報再生モジュール２３３０と、要求シグナリング制御モジュール２３３２と、送信制御モジュール２３３６と、モード切替えモジュール２３３８と、いくつかの実施形態では、送信要求応答監視モジュール２３３４とを含む。
【０２１２】
データ情報２３２０は、ピアツーピアタイミングおよび／または周波数構造情報２３４０と、コネクション情報２３５４と、コードワード再生情報２３５６と、現在の動作モード、たとえば、受信動作モードまたは送信動作モードを示す情報２３５８とを含む。ピアツーピアタイミングおよび／または周波数構造情報２３４０は、循環ピアツーピア構造内の異なる添え字付きトラフィックスロットに対応する情報の複数のセット（トラフィックスロット１の情報２３４２、…、トラフィックスロットＮの情報２３４４）を含む。トラフィックスロット１の情報２３４２は、第１の送信ユニット情報２３４６と、第２の送信ユニット情報２３４８と、データ送信間隔１情報２３５２とを含む。いくつかの実施形態では、トラフィックスロット１の情報２３４２は要求応答送信ユニット情報２３５０を含む。
【０２１３】
第１の送信ユニット情報２３４６は、第１の通信デバイスから第２の通信デバイスに送信要求を搬送するために使用されるピアツーピアタイミング／周波数構造中で、エアリンクリソース、たとえば、ＯＦＤＭトーンシンボルを識別し、その送信要求は、データ送信間隔１情報２３５２によって識別されるエアリンクリソースを使用してトラフィックデータ信号、たとえば、第１のピアツーピアトラフィックセグメントを第２の通信デバイス２３００に送信したいという要求である。第２の送信ユニット情報２３４８は、様々な時間に様々な目的のために使用されるピアツーピアタイミング／周波数構造中で、エアリンクリソース、たとえば、ＯＦＤＭトーンシンボルを識別する。情報２３４６によって識別される第１の送信ユニットが、第１のデバイスから第２のデバイス２３００に送信要求を搬送するために使用されていた場合、情報２３４８によって識別される第２の送信ユニットは、第１のデバイスから第２のデバイスに追加情報を搬送するために使用される。しかしながら、情報２３４６によって識別される第１の送信ユニットが、第１のデバイスから第２のデバイス２３００に要求を搬送するために使用されない場合、第２の送信ユニットは、第２の通信デバイス２３００から第１の通信デバイスに送信要求を搬送するために第２のデバイス２３００によって使用され、その送信要求は、データ送信間隔１情報２３５２によって識別されるエアリンクリソースを使用して第１の通信デバイスにトラフィックデータ信号、たとえば、第１のピアツーピアトラフィックセグメントを送信したいという要求である。要求応答送信ユニット情報２３５０は、第１の送信ユニットと第２の送信ユニットのうちの一方で伝達された要求に肯定の応答を搬送するために使用されるピアツーピアタイミング／周波数構造中でエアリンクリソース、たとえば、ＯＦＤＭトーンシンボルを識別する。様々な実施形態では、第１の送信ユニットが第２の送信ユニットに先行し、第２の送信ユニットが要求応答送信ユニットに先行し、要求応答送信ユニットがデータ送信間隔に先行するように、リソースは時間的に構造化される。
【０２１４】
コネクション情報２３５４は、第２の通信デバイスが既存のコネクションを有するピアツーピア通信デバイス、たとえば、第１の通信デバイスを識別する情報を含む。コードワード再生情報２３５６は、情報（２３４６、２３４８）によって識別される第１および第２の送信ユニット上で信号を介して伝達される情報を再生するために使用される記憶された復号化情報を含み、その情報は、コードワードを介して伝達される。現在の動作モード２３５８は、第２の通信デバイス２３００が受信動作モードであるか、または送信動作モードであるかを識別する情報を含む。
【０２１５】
データ／情報２３２０中に含まれることがある情報（２３６０、２３６２、２６６４、２３７２およびオプションで２３７０）は、第１の通信デバイスがトラフィックスロット１に対応する第２の通信デバイス２３００に送信したいという要求を送信した場合に対応する情報のセットを形成する。この場合、第２の通信デバイス２３００は、第１の送信ユニット、第２の送信ユニットおよびデータ送信間隔１に対応する時間間隔中に受信動作モードになる。しかしながら、要求応答送信ユニットに対応する時間間隔中には、第２の通信デバイス２３００は送信動作モードになるように制御される。情報２３６０は、第１の送信ユニット上で伝達され、検出された第１の信号、たとえば、ＴＸ要求であり、情報２３６２は、第２の送信ユニット上で伝達され受信された第２の信号であり、第１および第２の信号は第１の通信デバイスから送信される。第２の信号は、追加情報、たとえばサービス品質情報または電力情報を伝達するために使用される。再生された追加情報２３６４は、追加情報再生モジュール２３３０によって受信された第２の信号２３６２から再生された情報を表す。いくつかの実施形態では、再生された情報は、サービス品質情報２３６６と電力情報２３６８とのうちの１つまたは複数を含む。第１のデバイス２３７０に対して生成された要求応答信号は、第２のデバイスの観点から、第１のデバイスが、情報２３５２によって識別されるデータ送信間隔中でピアツーピアトラフィック信号を送信することが許可されたことを示す、第２のデバイス２３００から第１のデバイスへの肯定の応答信号、たとえば、ＲＸエコー信号である。情報２３７２は、データ送信間隔１情報２３５２によって識別される、エアリンクリソース中で第１のデバイスから送信され、受信されたトラフィックデータ、たとえば、ピアツーピアトラフィックセグメントである。
【０２１６】
データ／情報２３２０中に含まれることがある情報（２３７４、２３７８およびオプションで２３７６）は、第２の通信デバイスが、第１の送信ユニット中で第１の通信デバイスからの要求を検出せず、トラフィックスロット１に対応する第１の通信デバイスに送信したいという要求を送信することを決定した場合に対応する情報のセットを形成する。この場合、第２の通信デバイス２３００は、第１の送信ユニットおよび要求応答送信ユニットに対応する時間間隔中に受信動作モードになる。しかしながら、第２の送信ユニットおよびデータ送信間隔１に対応する時間間隔中には、第２の通信デバイス２３００は送信動作モードになるように制御される。情報２３７４は、情報２３４８によって識別される第２の送信ユニット上で伝達される、送信要求信号、たとえば、第１のデバイスへのＴＸ要求信号である。第１のデバイスから受信された要求応答信号、たとえば、ＴＸ要求２３７４に応答して第１のデバイスから受信されたＲＸエコー信号は、第２のデバイス２３００が情報２３５２によって識別される間隔中で意図されたトラフィックデータ信号送信を続けることを可能にする、肯定の確認応答である。情報２３７８は、情報２３５２によって識別される、エアリンクリソース上で第２のデバイス２３００によって第１のデバイスに送信されるピアツーピアトラフィックデータ信号、たとえば、ピアツーピアトラフィックセグメントを表す。
【０２１７】
監視モジュール２３２６は、たとえば、要求に関連する対応するピアツーピアトラフィックセグメント中に、第２のデバイスに送信するための、送信を要求する第１のデバイスからの第１の信号を検出するために、第１の送信ユニットを監視する。様々な実施形態では、監視モジュール２３２６は、第１の通信デバイスとのコネクションを有するとき、第１の送信ユニットで伝達された第１の通信デバイスからの要求信号を検出したか否かを示す情報を出力する。
【０２１８】
第１の信号が第１の送信ユニット中で検出された場合、データ送信間隔制御モジュール２３２８は、第１の送信ユニットに対応し、第２の送信ユニットの後に発生するデータ送信間隔中でデータを受信するように第２のデバイスを制御する。
【０２１９】
追加情報再生モジュール２３３０は、第２の信号、たとえば、情報２３４８によって識別される、第２の送信ユニット上で第１のデバイスから伝達された信号に対応する追加情報を再生する。いくつかの実施形態では、追加情報再生モジュール２３３０は、第１の信号と第２の信号の両方、たとえば、第１の通信デバイスから情報（２３４６、２３４８）によって識別される第１および第２の送信ユニット上で伝達される信号に基づいて、追加情報を解釈する。様々な実施形態では、追加情報はサービス品質情報である。いくつかの実施形態では、追加情報は、前記データを送信するために使用される送信電力に関する情報を与える。いくつかの実施形態では、追加情報は、第１の信号と第２の信号の両方を使用して伝達されるコードワードを介して伝達され、たとえば、情報（２３４６、２３４８）によって識別される第１および第２の送信ユニットに対応する第１および第２の信号は組になって、情報を搬送するコードワードを搬送する。いくつかの実施形態では、第１の信号、たとえば、第１の送信ユニット上の信号は基準信号であり、追加情報再生モジュール２３３０は、基準信号を使用して第２の信号から追加情報を再生する。
【０２２０】
第１のデバイスからの信号が第１の送信ユニット上で検出されず、第１のデバイスに送信すべきデータがある場合、要求シグナリング制御モジュール２３３２は、第２の送信ユニット上で送信要求を第１のデバイスに送信するようにワイヤレス送信機モジュール２３０４を制御する。
【０２２１】
送信要求応答監視モジュール２３３４は、第２の送信ユニット上で送信した後、および対応するデータ送信間隔上でトラフィックデータを送信する前に、第１のデバイスから送信許容信号を受信するために監視する。送信許容信号が受信されないとき、たとえば、ＲＸエコー信号が受信されないとき、送信制御モジュール２３３６、たとえば、ピアツーピアトラフィック送信制御モジュールは、いくつかの実施形態では、データを送信することを控えるように送信機モジュール２３０４を制御する。
【０２２２】
モード切替えモジュール２３３８は、第２のデバイス２３００に向けられた第１のデバイスからの送信要求が第１の送信ユニット中で受信されない状況において、前記第１の送信ユニットと第２の送信ユニットとの間の時間期間中に受信動作モードから送信動作モードに切り替えるためのものである。情報２３５８は、デバイス２３００の現在の動作モードを識別する。様々な実施形態では、受信動作モードから送信動作モードへの切替えは、受信機動作を使用不能にすることと、送信機動作を可能にすることとを含む。
【０２２３】
様々な実施形態では、第１の送信ユニットと第２の送信ユニットと対応するデータ送信トラフィック間隔との間にリンケージがあるので、第１の送信ユニット上の第１のデバイスからの要求および第２の送信ユニット上の第２のデバイス２３００からの要求はそれぞれ、同じデータ送信トラフィック間隔を使用したいという要求を搬送する。ただし、要求するプロトコルは、第１および第２のデバイスのいずれがデータ送信間隔を使用して送信すべきかについて競合が生じないようなものである。たとえば、一実施形態では、第１のデバイスが第１の送信ユニット中で要求を送信する場合、第２のデバイス２３００は、第２の送信ユニット中で要求を発行するのを妨げられる。この例を続けると、第１のデバイスが第１の送信ユニット中で要求を送信しない場合、第２のデバイス２３００は、第２の送信ユニット中で要求を送信することがあり、時々送信する。
【０２２４】
ＯＦＤＭシステムに関して説明したが、様々な実施形態の方法および装置は、多くの非ＯＦＤＭおよび／または非セルラーシステムを含む広範囲の通信システムに適用可能である。いくつかの例示的なシステムは、ピアツーピアシグナリング、たとえば、いくつかのＯＦＤＭタイプ信号およびいくつかのＣＤＭＡタイプ信号において利用される技術の混合を含む。
【０２２５】
様々な実施形態では、本明細書で説明するノードは、１つまたは複数の方法に対応するステップ、たとえば、第１の送信ユニット中でピアツーピアトラフィック送信要求信号を送信するステップ、ピアツーピアトラフィック送信要求信号を検出するために第２の送信ユニットを監視するステップ、要求に対応するトラフィック送信間隔中でトラフィック信号を送信するステップ、要求信号を検出するために第１の送信ユニットを監視するステップ、受信された要求をオーバーライドすべきか否かを決定するステップ、第２の送信ユニット中で要求を送信するステップ、要求に対応する追加情報を符号化するステップ、および、要求に対応する追加情報を再生するステップを実行するために、１つまたは複数のモジュールを使用して実装される。いくつかの実施形態では、様々な機能はモジュールを使用して実装される。そのようなモジュールは、ソフトウェア、ハードウェアまたはソフトウェアとハードウェアの組合せを使用して実装できる。上記の方法または方法ステップの多くは、たとえば１つまたは複数のノードにおいて、上記の方法の全部または一部を実施するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実施できる。したがって、特に、本態様は、機械、たとえば、プロセッサおよび関連するハードウェアに上述の１つまたは複数の方法のステップの１つまたは複数を実行させるための機械実行可能命令を含む機械可読媒体を対象とする。
【０２２６】
いくつかの実施形態では、１つまたは複数のデバイス、たとえば、ワイヤレス端末などの通信デバイスの（１つまたは複数の）プロセッサ、たとえば、ＣＰＵは、通信デバイスによって実行されるものとして説明した方法のステップを実行するように構成される。したがって、すべてではないが、いくつかの実施形態は、プロセッサが含まれるデバイスによって実行される様々な記載の方法のステップの各々に対応するモジュールを含むプロセッサをもつデバイス、たとえば、通信デバイスを対象とする。すべてではないが、いくつかの実施形態では、デバイス、たとえば、通信デバイスは、プロセッサが含まれるデバイスによって実行される様々な記載の方法のステップの各々に対応するモジュールを含む。モジュールは、ソフトウェアおよび／またはハードウェアを使用して実装できる。
【０２２７】
上述の方法および装置に関する多数の追加の変形形態は、上記の説明に鑑みて、当業者には明らかであろう。そのような変形形態は範囲内に入ると考えるべきである。様々な実施形態の方法および装置は、ＣＤＭＡ、直交周波数分割多重（ＯＦＤＭ）、および／またはアクセスノードとモバイルノードとの間のワイヤレス通信リンクを与えるために使用される様々な他のタイプの通信技法とともに使用でき、様々な実施形態において使用される。いくつかの実施形態では、アクセスノードは、ＯＦＤＭおよび／またはＣＤＭＡを使用してモバイルノードとの通信リンクを確立する基地局として実装される。様々な実施形態では、モバイルノードは、様々な実施形態の方法を実施するための、受信機／送信機回路ならびに論理および／またはルーチンを含む、ノートブックコンピュータ、個人情報端末（ＰＤＡ）、または他の携帯デバイスとして実装される。
【図１】
2011502427.tif 000003
【図２】
2011502427.tif 000004
【図３】
2011502427.tif 000005
【図４】
2011502427.tif 000006
【図５】
2011502427.tif 000007
【図６】
2011502427.tif 000008
【図７】
2011502427.tif 000009
【図８】
2011502427.tif 000010
【図９】
2011502427.tif 000011
【図１０】
2011502427.tif 000012
【図１１】
2011502427.tif 000013
【図１２】
2011502427.tif 000014
【図１３】
2011502427.tif 000015
【図１４】
2011502427.tif 000016
【図１５】
2011502427.tif 000017
【図１６】
2011502427.tif 000018
【図１７】
2011502427.tif 000019
【図１８】
2011502427.tif 000020
【図１９】
2011502427.tif 000021
【図２０】
2011502427.tif 000022
【図２１】
2011502427.tif 000023
【図２２】
2011502427.tif 000024
【図２３】
2011502427.tif 000025
【国際調査報告】
2011502427.tif 000026
2011502427.tif 000027
2011502427.tif 000028